(57)【特許請求の範囲】
【請求項１】
情報表示方法であって、
少なくとも１つのコンテンツソースのコンテンツ情報を端末が取得する段階であって、前記少なくとも１つのコンテンツソースは少なくとも２つのアカウント情報に対応し、前記コンテンツ情報は、複数の速達便情報である、段階と、
前記端末によって、前記複数の速達便情報をルールに従って非構造化データ形式から構造化データ形式に変換する段階と、
前記端末によって、前記構造化データ形式の前記複数の速達便情報を分類する段階であって、前記複数の速達便情報は、１つのカテゴリーに分類される、段階と、
前記分類された速達便情報を前記端末が表示する段階と
を備え、
前記分類された速達便情報は、商品の部分的な速達便情報を表示する第１レベル表示と、前記商品の速達便情報を表示する第２レベル表示とを含み、前記第１レベル表示は、前記第２レベル表示における前記商品の前記速達便情報にアクセスするためのリンクを有する
方法。
【請求項２】
前記分類された速達便情報を表示する前記段階は、前記速達便情報の更新時間に従って前記分類された速達便情報を逆順序で表示する段階を有する、
請求項１に記載の方法。
【請求項３】
前記コンテンツ情報を端末が取得する前記段階は、
前記複数のアカウント情報と前記複数のアカウント情報に対応する少なくとも１つのコンテンツソースのアドレス情報とを前記端末が取得する段階と、
前記複数のアカウント情報と前記複数のアカウント情報に対応する前記少なくとも１つのコンテンツソースの前記アドレス情報とに従って第１の取得要求を前記少なくとも１つのコンテンツソースに前記端末が送信する段階と、
前記第１の取得要求に従って前記少なくとも１つのコンテンツソースにより送信された前記速達便情報を前記端末が受信する段階と
を有する
請求項１または２に記載の方法。
【請求項４】
前記コンテンツ情報を端末が取得する前記段階は、
第２の取得要求をサーバに前記端末が送信する段階と、
前記第２の取得要求に従って、前記複数のアカウント情報に対応する少なくとも１つのコンテンツソースから前記サーバによって取得される前記速達便情報を前記端末が受信する段階と
を有する、
請求項１から３のいずれか一項に記載の方法。
【請求項５】
情報表示方法であって、
複数の速達便情報を取得すべく取得要求を端末がサーバに送信する段階であって、前記複数の速達便情報は複数のアカウント情報に対応する、段階と、
前記取得要求に従って前記サーバによって送信された複数の速達便情報を前記端末が受信する段階と、
前記複数の速達便情報を前記端末が表示する段階と
を備え、
前記複数の速達便情報は、商品の部分的な速達便情報を表示する第１レベル表示と、前記商品の速達便情報を表示する第２レベル表示とを含み、前記第１レベル表示は、前記第２レベル表示における前記商品の前記速達便情報にアクセスするためのリンクを有し、前記複数の速達便情報は、構造化データ形式の分類された情報であり、前記複数の速達便情報は、１つのカテゴリーに分類される
方法。
【請求項６】
前記複数の速達便情報を表示する前記段階は、前記速達便情報の更新時間に従って前記複数の速達便情報を逆順序で表示する段階を有する、
請求項５に記載の方法。
【請求項７】
情報表示方法であって、
少なくとも２つのアカウント情報と前記少なくとも２つのアカウント情報に対応するコンテンツソースのアドレス情報とをサーバが取得する段階を有する前記コンテンツソースのコンテンツ情報を前記サーバが取得する段階であって、前記少なくとも２つのアカウント情報は少なくとも１つのコンテンツソースに対応し、前記コンテンツ情報は、複数の速達便情報である、段階と、
前記複数のアカウント情報に対応する前記複数の速達便情報を前記サーバが取得する段階と、
前記サーバによって、前記複数の速達便情報を、ルールに従って非構造化データ形式から構造化データ形式に変換する段階と、
前記サーバによって、前記構造化データ形式の前記複数の速達便情報を分類する段階であって、前記複数の速達便情報は、１つのカテゴリーに分類される、段階と
表示するために前記分類された複数の速達便情報を端末に前記サーバが送信する段階と
を備え、
前記速達便情報は、商品の部分的な速達便情報を表示する第１レベル表示と、前記商品の速達便情報を表示する第２レベル表示とを含み、前記第１レベル表示は、前記第２レベル表示における前記商品の前記速達便情報にアクセスするためのリンクを有する
方法。
【請求項８】
前記複数のアカウント情報と前記複数の速達便情報のアドレス情報とを取得する前記段階の前に、前記端末によって送信された取得要求を前記サーバが受信する段階をさらに備え、
前記取得要求は、前記複数のアカウント情報に対応する少なくとも１つのコンテンツソースから前記複数の速達便情報を取得するよう前記サーバに命令するのに用いられる、
請求項７に記載の方法。
【請求項９】
情報表示の端末であって、
少なくとも１つのコンテンツソースのコンテンツ情報を取得する収集モジュールであって、前記少なくとも１つのコンテンツソースは少なくとも２つのアカウント情報に対応し、前記コンテンツ情報は、複数の速達便情報である、前記収集モジュールと、
前記複数の速達便情報をルールに従って非構造化データ形式から構造化データ形式に変換し、前記構造化データ形式の前記複数の速達便情報を分類する統合モジュールであって、前記複数の速達便情報は、１つのカテゴリーに分類される、前記統合モジュールと、
前記分類された速達便情報を表示する表示モジュールと
を備え、
前記分類された速達便情報は、商品の部分的な速達便情報を表示する第１レベル表示と、前記商品の速達便情報を表示する第２レベル表示とを含み、前記第１レベル表示は、前記第２レベル表示における前記商品の前記速達便情報にアクセスするためのリンクを有する
端末。
【請求項１０】
情報表示の端末であって、
少なくとも１つのコンテンツソースのコンテンツ情報を取得すべく取得要求をサーバに送信する送信モジュールであって、前記少なくとも１つのコンテンツソースは少なくとも２つのアカウント情報に対応し、前記コンテンツ情報は、複数の速達便情報である、前記送信モジュールと、
前記取得要求に従って前記サーバによって送信された複数の速達便情報を受信する受信モジュールと、
前記複数の速達便情報を表示する表示モジュールであって、前記複数の速達便情報は、構造化データ形式の分類された情報であり、前記複数の速達便情報は、１つのカテゴリーに分類される、前記表示モジュールと
を備え、
前記複数の速達便情報は、商品の部分的な速達便情報を表示する第１レベル表示と、前記商品の速達便情報を表示する第２レベル表示とを含み、前記第１レベル表示は、前記第２レベル表示における前記商品の前記速達便情報にアクセスするためのリンクを有する
端末。
【請求項１１】
情報表示のサーバであって、
少なくとも１つのコンテンツソースのコンテンツ情報を取得すべく、少なくとも２つのアカウント情報と前記少なくとも２つのアカウント情報に対応する前記少なくとも１つのコンテンツソースのアドレス情報とを取得する取得モジュールであって、前記少なくとも２つのアカウント情報は少なくとも１つのコンテンツソースに対応し、前記コンテンツ情報は、複数の速達便情報である、前記取得モジュールと、
前記複数のアカウント情報に対応する前記複数の速達便情報を取得する収集モジュールと、
前記複数の速達便情報をルールに従って非構造化データ形式から構造化データ形式に変換し、前記構造化データ形式の前記複数の速達便情報を分類する統合モジュールであって、前記複数の速達便情報は、１つのカテゴリーに分類される、前記統合モジュールと、
表示するために前記分類された複数の速達便情報を端末に送信する送信モジュールと
を備え、
前記速達便情報は、商品の部分的な速達便情報を表示する第１レベル表示と、前記商品の速達便情報を表示する第２レベル表示とを含み、前記第１レベル表示は、前記第２レベル表示における前記商品の前記速達便情報にアクセスするためのリンクを有する
サーバ。
【請求項１２】
情報表示の端末であって、
プロセッサ、メモリ、表示画面、及び送受信機を含み、
前記プロセッサ、前記メモリ、前記表示画面、及び前記送受信機はバスを用いて通信を実行し、
前記送受信機は少なくとも１つのコンテンツソースのコンテンツ情報を取得し、前記少なくとも１つのコンテンツソースは少なくとも２つのアカウント情報に対応し、前記コンテンツ情報は、複数の速達便情報であり、
前記プロセッサは、前記複数の速達便情報をルールに従って非構造化データ形式から構造化データ形式に変換し、前記構造化データ形式の前記複数の速達便情報を分類し、前記複数の速達便情報は、１つのカテゴリーに分類され、
前記表示画面は前記分類された速達便情報を表示し、
前記分類された速達便情報は、商品の部分的な速達便情報を表示する第１レベル表示と、前記商品の速達便情報を表示する第２レベル表示とを含み、前記第１レベル表示は、前記第２レベル表示における前記商品の前記速達便情報にアクセスするためのリンクを有する
端末。
【請求項１３】
前記複数の速達便情報を前記取得することは、
前記複数のアカウント情報と前記複数のアカウント情報に対応する少なくとも１つのコンテンツソースのアドレス情報とを前記プロセッサが取得することと、
前記複数のアカウント情報と前記複数のアカウント情報に対応する前記少なくとも１つのコンテンツソースの前記アドレス情報とに従って、前記送受信機が第１の取得要求を前記少なくとも１つのコンテンツソースに送信することと、
前記第１の取得要求に従って前記コンテンツソースによって送信された前記速達便情報を前記送受信機が受信することと
を有する、
請求項１２に記載の端末。
【請求項１４】
少なくとも１つのコンテンツソースのコンテンツ情報を前記取得することは、
第２の取得要求をサーバに前記送受信機が送信することと、
前記第２の取得要求に従って、前記複数のアカウント情報に対応する前記少なくとも１つのコンテンツソースから前記サーバによって取得される前記速達便情報を前記送受信機が受信することと
を有する、
請求項１２または１３に記載の端末。
【請求項１５】
情報表示の端末であって、
プロセッサ、メモリ、表示画面、及び送受信機を含み、
前記プロセッサ、前記メモリ、前記表示画面、及び前記送受信機はバスを用いて通信を実行し、
前記送受信機は少なくとも１つのコンテンツソースのコンテンツ情報を取得すべく取得要求をサーバに送信し、前記少なくとも１つのコンテンツソースは少なくとも２つのアカウント情報に対応し、前記コンテンツ情報は、複数の速達便情報であり、
前記送受信機は前記取得要求に従って前記サーバによって送信された複数の速達便情報をさらに受信し、
前記プロセッサは、前記受信した複数の速達便情報を解析し、
前記表示画面は前記複数の速達便情報を表示し、
前記複数の速達便情報は、商品の部分的な速達便情報を表示する第１レベル表示と、前記商品の速達便情報を表示する第２レベル表示とを含み、前記第１レベル表示は、前記第２レベル表示における前記商品の前記速達便情報にアクセスするためのリンクを有し、前記複数の速達便情報は、構造化データ形式の分類された情報であって、前記複数の速達便情報は、１つのカテゴリーに分類される、
端末。
【請求項１６】
プログラムであって、
少なくとも１つのコンテンツソースのコンテンツ情報を取得する段階であって、前記少なくとも１つのコンテンツソースは少なくとも２つのアカウント情報に対応し、前記コンテンツ情報は、複数の速達便情報である、段階と、
前記複数の速達便情報をルールに従って非構造化データ形式から構造化データ形式に変換する段階と、
前記構造化データ形式の前記複数の速達便情報を分類する段階であって、前記複数の速達便情報は、１つのカテゴリーに分類される、段階と、
前記分類された速達便情報を表示する段階と
をコンピュータに実行させ、
前記分類された速達便情報は、商品の部分的な速達便情報を表示する第１レベル表示と、前記商品の速達便情報を表示する第２レベル表示とを含み、前記第１レベル表示は、前記第２レベル表示における前記商品の前記速達便情報にアクセスするためのリンクを有する
プログラム。
【発明の詳細な説明】
【技術分野】
【０００１】
本発明は通信分野に関し、特に情報表示方法、端末、及びサーバに関する。
【背景技術】
【０００２】
人々は、端末のウェブブラウザ又は端末にインストールされたアプリケーション（Ａｐｐｌｉｃａｔｉｏｎ、アプリ）を使用して、様々な日常の事柄に対処することが多い。例えば、人々はブラウザを用いてＡｍａｚｏｎにログインすることができる、又はＡｍａｚｏｎのアプリを使用してオンラインで買い物をすることができる、あるいは、ネットワーク「Ｑｕｎａｒ」又は別の旅行代理店ネットワークを利用してオンラインでチケットを予約することができる。
【０００３】
ユーザのサービス要件の増加と多様化に伴い、ブラウザを使用してユーザがアクセスするウェブサイトがますます増加し、端末のアプリの量も増加している。ユーザが必要とする様々な情報及びサービスは、異なるコンテンツソースを有するサーバに分散して格納されている。コンテンツソースはユーザが必要とする情報又はサービスを提供することができ、コンテンツソースはウェブサイト、アプリケーションなどであってよい。アプリケーション及びサービスが増加すると、それに応じて、新たな問題もいくつか現れる。例えば、情報を照会したい、又はいくつかのサービスを使用したい場合、まずユーザは関連情報が格納されているコンテンツソースを検討する必要があり、その後で対応するウェブページ又はアプリを開いて、対応する情報又は対応するサービスを取得することができる。この照会プロセスは比較的煩わしく時間がかかり、特に選択しなければならないコンテンツソースがより多く存在する場合、ユーザは関連情報が格納されているコンテンツソースを忘れがちになり、この場合、関連作業がより煩わしくなる。今のところ、上述の状況に対する有効な解決手段はない。
【発明の概要】
【０００４】
本発明の実施形態は、情報照会を容易にして端末のインタラクション能力を高めるように、情報表示方法及び装置を提供する。
【０００５】
第１態様に従って、本発明の一実施形態が情報表示方法を提供し、本方法は、少なくとも１つのコンテンツソースのコンテンツ情報を端末が取得する段階であって、少なくとも１つのコンテンツソースは端末に格納された少なくとも２つのアカウント情報に対応する、段階と、コンテンツ情報をコンテンツ表示情報に端末が統合する段階と、コンテンツ表示情報を端末が表示する段階とを含む。
【０００６】
第１態様に関連して第１の実装態様では、コンテンツ情報をコンテンツ表示情報に統合する段階は、ルールに従ってコンテンツ情報を非構造化データ形式から構造化データ形式に変換する段階と、構造化データ形式のコンテンツ情報を分類して、構造化データ形式の分類されたコンテンツ情報、すなわちコンテンツ表示情報を取得する段階とを含む。
【０００７】
第１態様に関連して第２の実装態様では、コンテンツ情報をコンテンツ表示情報に統合する段階は、コンテンツ情報を分類する段階と、分類されたコンテンツ情報をルールに従って非構造化データ形式から構造化データ形式に変換して、構造化データ形式の分類されたコンテンツ情報、すなわちコンテンツ表示情報を取得する段階とを含む。
【０００８】
第１態様の第１の実装態様又は第２の実装態様に関連して第１態様の第３の実装態様では、構造化データ形式の分類されたコンテンツ情報における分類タイプは、ユーザ識別子、サービスタイプ、又はコンテンツソースのうち１つ又は複数を含む。
【０００９】
第１態様の第３の実装態様に関連して第１態様の第４の実装態様では、サービスタイプは、速達便（ｅｘｐｒｅｓｓ）、音楽、写真、コンタクトメッセージ、イベントプロンプトメッセージ、証券（ｂｉｌｌ）などのうち１つ又は複数を含む。
【００１０】
第１態様の第１から第４の実装態様のいずれか１つに関連して第１態様の第５の実装態様では、コンテンツ表示情報を表示する段階は、コンテンツ表示情報の更新時間に従ってコンテンツ表示情報を逆順序で表示する段階を含む。
【００１１】
第１態様の第５の実装態様までの第１態様の実装態様のいずれか１つに関連して第１態様の第６の実装態様では、少なくとも１つのコンテンツソースのコンテンツ情報を端末が取得する段階は、少なくとも２つのアカウント情報と当該少なくとも２つのアカウント情報に対応するコンテンツソースのアドレス情報とを端末が取得する段階と、少なくとも２つのアカウント情報と当該少なくとも２つのアカウント情報に対応するコンテンツソースのアドレス情報とに従って、端末が第１の取得要求をコンテンツソースに送信する段階と、第１の取得要求に従ってコンテンツソースによって送信されたコンテンツ情報を端末が受信する段階とを含む。
【００１２】
第１態様の第５の実装態様までの第１態様の実装態様のいずれか１つに関連して第１態様の第７の実装態様では、少なくとも１つのコンテンツソースのコンテンツ情報を端末が取得する段階は、端末が第２の取得要求をサーバに送信する段階と、少なくとも２つのアカウント情報に対応するコンテンツソースから、第２の取得要求に従ってサーバが取得するコンテンツ情報を端末が受信する段階とを含む。
【００１３】
第１態様の実装態様のいずれか１つに関連して、第１態様の第８の実装態様では、端末は、Ｎ個のレベルにおいてコンテンツ表示情報を表示し、Ｎは２より大きい又は２に等しい整数である。
【００１４】
第２態様に従って、本発明の一実施形態が情報表示方法を提供し、本方法は、少なくとも１つのコンテンツソースのコンテンツ情報を取得すべく、端末が取得要求をサーバに送信する段階であって、少なくとも１つのコンテンツソースは端末に格納された少なくとも２つのアカウント情報に対応する、段階と、取得要求に従ってサーバが送信するコンテンツ表示情報を端末が受信する段階であって、コンテンツ表示情報は、少なくとも２つのアカウント情報に対応するコンテンツソースから取得されるコンテンツ情報をサーバが統合することによって取得される、段階と、端末がコンテンツ表示情報を表示する段階とを含む。
【００１５】
第２態様に関連して第２態様の第１の実装態様では、コンテンツ表示情報は構造化データ形式の分類されたコンテンツ情報である。
【００１６】
第２態様の第１の実装態様に関連して第２態様の第２の実装態様では、分類タイプは、ユーザ識別子、サービスタイプ、又はコンテンツソースのうち１つ又は複数を含む。
【００１７】
第２態様の第２の実装態様に関連して第２態様の第３の実装態様では、サービスタイプは、速達便、音楽、写真、コンタクトメッセージ、イベントプロンプトメッセージ、証券などのうち１つ又は複数を含む。
【００１８】
第２態様の実装態様のいずれか１つに関連して第２態様の第４の実装態様では、コンテンツ表示情報を表示する段階は、コンテンツ表示情報の更新時間に従ってコンテンツ表示情報を逆順序で表示する段階を含む。
【００１９】
第２態様の実装態様のいずれか１つに関連して第２態様の第５の実装態様では、端末は、Ｎ個のレベルにおいてコンテンツ表示情報を表示し、Ｎは２より大きい又は２に等しい整数である。
【００２０】
第３態様に従って、本発明の一実施形態は情報表示方法を提供し、本方法は、少なくとも２つのアカウント情報と当該少なくとも２つのアカウント情報に対応するコンテンツソースのアドレス情報とをサーバが取得する段階であって、少なくとも２つのアカウント情報は少なくとも１つのコンテンツソースに対応する、段階と、少なくとも２つのアカウント情報と当該少なくとも２つのアカウント情報に対応するコンテンツソースのアドレス情報とに従って、少なくとも２つのアカウント情報に対応するコンテンツソースからコンテンツ情報をサーバが取得する段階と、コンテンツ情報をコンテンツ表示メッセージにサーバが統合する段階と、表示するためにコンテンツ表示情報を端末にサーバが送信する段階とを含む。
【００２１】
第３態様に関連して第３態様の第１の実装態様では、コンテンツ情報をコンテンツ表示情報に統合する段階は、ルールに従ってコンテンツ情報を非構造化データ形式から構造化データ形式に変換する段階と、構造化データ形式のコンテンツ情報を分類して、構造化データ形式の分類されたコンテンツ情報、すなわちコンテンツ表示情報を取得する段階とを含む。
【００２２】
第３態様に関連して第３態様の第２の実装態様では、コンテンツ情報をコンテンツ表示情報に統合する段階は、コンテンツ情報を分類する段階と、分類されたコンテンツ情報をルールに従って非構造化データ形式から構造化データ形式に変換して、構造化データ形式の分類されたコンテンツ情報、すなわちコンテンツ表示情報を取得する段階とを含む。
【００２３】
第３態様の実装態様のいずれか１つに関連して、第３態様の第３の実装態様では、少なくとも２つのアカウント情報と当該少なくとも２つのアカウント情報に対応するコンテンツソースのアドレス情報とを取得する段階の前に、本方法は、端末が送信する取得要求をサーバが受信する段階をさらに含み、取得要求はコンテンツソースのコンテンツ情報を取得するようサーバに命令するのに用いられる。
【００２４】
第４態様に従って、本発明の一実施形態が情報表示端末を提供し、端末は、少なくとも１つのコンテンツソースのコンテンツ情報を取得するよう構成された収集モジュールであって、少なくとも１つのコンテンツソースは端末に格納された少なくとも２つのアカウント情報に対応する、収集モジュールと、コンテンツ情報をコンテンツ表示情報に統合するよう構成された統合モジュールと、コンテンツ表示情報を表示するよう構成された表示モジュールとを含む。
【００２５】
第４態様に関連して第４態様の第１の実装態様では、統合モジュールは、収集モジュールが取得したコンテンツ情報をルールに従って非構造化データ形式から構造化データ形式に変換するよう構成された変換モジュールと、構造化データ形式のコンテンツ情報を分類して、構造化データ形式の分類されたコンテンツ情報、すなわちコンテンツ表示情報を取得するよう構成された分類モジュールとを含む。
【００２６】
第４態様に関連して第４態様の第２の実装態様では、統合モジュールは、収集モジュールが取得したコンテンツ情報を分類するよう構成された分類モジュールと、分類されたコンテンツ情報をルールに従って非構造化データ形式から構造化データ形式に変換して、構造化データ形式の分類されたコンテンツ情報、すなわちコンテンツ表示情報を取得するよう構成された変換モジュールとを含む。
【００２７】
第４態様の第１の実装態様又は第２の実装態様に関連して第４態様の第３の実装態様では、構造化データ形式の分類されたコンテンツ情報における分類タイプは、ユーザ識別子、サービスタイプ、又はコンテンツソースのうち１つ又は複数を含む。
【００２８】
第４態様の第３の実装態様に関連して第４態様の第４の実装態様では、サービスタイプは、速達便、音楽、写真、コンタクトメッセージ、イベントプロンプトメッセージ、証券などのうち１つ又は複数を含む。
【００２９】
第４態様の第１から第４の実装態様のいずれか１つに関連して第４態様の第５の実装態様では、コンテンツ表示情報を表示することは、コンテンツ表示情報の更新時間に従ってコンテンツ表示情報を逆順序で表示することを含む。
【００３０】
第４態様の第５の実装態様までの第４態様の実装態様のいずれか１つに関連して第４態様の第６の実装態様では、少なくとも１つのコンテンツソースのコンテンツ情報を端末が取得することは、少なくとも２つのアカウント情報と当該少なくとも２つのアカウント情報に対応するコンテンツソースのアドレス情報とを端末が取得することと、少なくとも２つのアカウント情報と当該少なくとも２つのアカウント情報に対応するコンテンツソースのアドレス情報とに従って、端末が第１の取得要求をコンテンツソースに送信することと、第１の取得要求に従ってコンテンツソースによって送信されたコンテンツ情報を端末が受信することを含む。
【００３１】
第４態様の第５の実装態様までの第４態様の実装態様のいずれか１つに関連して第４態様の第７の実装態様では、少なくとも１つのコンテンツソースのコンテンツ情報を端末が取得することは、端末が第２の取得要求をサーバに送信することと、少なくとも２つのアカウント情報に対応するコンテンツソースから、第２の取得要求に従ってサーバが取得するコンテンツ情報を端末が受信することを含む。
【００３２】
第４態様の実装態様のいずれか１つに関連して第４態様の第８の実装態様では、表示モジュールは、Ｎ個のレベルにおいてコンテンツ表示情報を表示し、Ｎは２より大きい又は２に等しい整数である。
【００３３】
第５態様に従って、本発明の一実施形態が情報表示端末を提供し、端末は、少なくとも１つのコンテンツソースのコンテンツ情報を取得すべく、取得要求をサーバに送信するよう構成された送信モジュールであって、少なくとも１つのコンテンツソースは端末に格納された少なくとも２つのアカウント情報に対応する、送信モジュールと、取得要求に従ってサーバが送信するコンテンツ表示情報を受信するよう構成された受信モジュールであって、コンテンツ表示情報は、少なくとも２つのアカウント情報に対応するコンテンツソースから取得されるコンテンツ情報をサーバが統合することによって取得される、受信モジュールと、コンテンツ表示情報を表示するよう構成された表示モジュールとを含む。
【００３４】
第５態様に関連して第５態様の第１の実装態様では、コンテンツ表示情報は構造化データ形式の分類されたコンテンツ情報である。
【００３５】
第５態様の第１の実装態様に関連して第５態様の第２の実装態様では、分類タイプは、ユーザ識別子、サービスタイプ、又はコンテンツソースのうち１つ又は複数を含む。
【００３６】
第５態様の第２の実装態様に関連して第５態様の第３の実装態様では、サービスタイプは、速達便、音楽、写真、コンタクトメッセージ、イベントプロンプトメッセージ、証券などのうち１つ又は複数を含む。
【００３７】
第５態様の実装態様のいずれか１つに関連して第５態様の第４の実装態様では、コンテンツ表示情報を表示することは、コンテンツ表示情報の更新時間に従ってコンテンツ表示情報を逆順序で表示することを含む。
【００３８】
第５態様の実装態様のいずれか１つに関連して第５態様の第５の実装態様では、表示モジュールは、Ｎ個のレベルにおいてコンテンツ表示情報を表示し、Ｎは２より大きい又は２に等しい整数である。
【００３９】
第６態様に従って、本発明の一実施形態が情報表示サーバを提供し、サーバは、少なくとも２つのアカウント情報と当該少なくとも２つのアカウント情報に対応するコンテンツソースのアドレス情報とを取得するよう構成された取得モジュールであって、少なくとも２つのアカウント情報は少なくとも１つのコンテンツソースに対応する、取得モジュールと、少なくとも２つのアカウント情報と当該少なくとも２つのアカウント情報に対応するコンテンツソースのアドレス情報とに従って、少なくとも２つのアカウント情報に対応するコンテンツソースからコンテンツ情報を取得するよう構成された収集モジュールと、コンテンツ情報をコンテンツ表示情報に統合するよう構成された統合モジュールと、表示するためにコンテンツ表示情報を端末に送信するよう構成された送信モジュールとを含む。
【００４０】
第６態様に関連して第６態様の第１の実装態様では、統合モジュールは、収集モジュールが取得したコンテンツ情報をルールに従って非構造化データ形式から構造化データ形式に変換するよう構成された変換モジュールと、構造化データ形式のコンテンツ情報を分類して、構造化データ形式の分類されたコンテンツ情報、すなわちコンテンツ表示情報を取得するよう構成された分類モジュールとを含む。
【００４１】
第６態様に関連して第６態様の第２の実装態様では、統合モジュールは、収集モジュールが取得したコンテンツ情報を分類するよう構成された分類モジュールと、分類されたコンテンツ情報をルールに従って非構造化データ形式から構造化データ形式に変換して、構造化データ形式の分類されたコンテンツ情報、すなわちコンテンツ表示情報を取得するよう構成された変換モジュールとを含む。
【００４２】
第６態様の実装態様のいずれか１つに関連して第６態様の第３の実装態様では、少なくとも２つのアカウント情報と当該少なくとも２つのアカウント情報に対応するコンテンツソースのアドレス情報とを取得する段階の前に、本方法は、端末が送信する取得要求をサーバが受信する段階をさらに含み、取得要求はコンテンツソースのコンテンツ情報を取得するようサーバに命令するのに用いられる。
【００４３】
第７態様に従って、本発明の一実施形態が情報表示端末を提供し、端末は、プロセッサ、メモリ、表示画面、及び送受信機を含み、プロセッサ、メモリ、表示画面、及び送受信機はバスを用いて通信を実行する。送受信機は少なくとも１つのコンテンツソースのコンテンツ情報を取得するよう構成され、少なくとも１つのコンテンツソースは端末に格納された少なくとも２つのアカウント情報に対応する。プロセッサはコンテンツ情報をコンテンツ表示情報に統合するよう構成され、表示画面はコンテンツ表示情報を表示するよう構成される。
【００４４】
第７態様に関連して第７態様の第１の実装態様では、プロセッサは具体的には、ルールに従ってコンテンツ情報を非構造化データ形式から構造化データ形式に変換し、構造化データ形式のコンテンツ情報を分類して、構造化データ形式の分類されたコンテンツ情報、すなわちコンテンツ表示情報を取得するよう構成される。
【００４５】
第７態様に関連して第７態様の第２の実装態様では、プロセッサがコンテンツ情報をコンテンツ表示情報に統合するよう構成されることは、コンテンツ情報を分類することと、分類されたコンテンツ情報をルールに従って非構造化データ形式から構造化データ形式に変換して、構造化データ形式の分類されたコンテンツ情報、すなわちコンテンツ表示情報を取得することを含む。
【００４６】
第７態様の第１の実装態様又は第２の実装態様に関連して第７態様の第３の実装態様では、構造化データ形式の分類されたコンテンツ情報の分類タイプは、ユーザ識別子分類、サービスタイプ分類、又はコンテンツソース分類のうち１つ又は複数を含む。
【００４７】
第７態様の第３の実装態様に関連して第７態様の第４の実装態様では、サービスタイプは、速達便、音楽、写真、コンタクトメッセージ、イベントプロンプトメッセージ、証券などのうち１つ又は複数を含む。
【００４８】
第７態様の第１から第４の実装態様のいずれか１つに関連して第７態様の第５の実装態様では、コンテンツ表示情報を表示することは、コンテンツ表示情報の更新時間に従ってコンテンツ表示情報を逆順序で表示することを含む。
【００４９】
第７態様の第５の実装態様までの第７態様の実装態様のいずれか１つに関連して第７態様の第６の実装態様では、少なくとも１つのコンテンツソースのコンテンツ情報を取得することは、少なくとも２つのアカウント情報と当該少なくとも２つのアカウント情報に対応するコンテンツソースのアドレス情報とをプロセッサが取得することと、少なくとも２つのアカウント情報と当該少なくとも２つのアカウント情報に対応するコンテンツソースのアドレス情報とに従って、送受信機が第１の取得要求をコンテンツソースに送信することと、第１の取得要求に従ってコンテンツソースによって送信されたコンテンツ情報を送受信機が受信することを含む。
【００５０】
第７態様の第５の実装態様までの第７態様の実装態様のいずれか１つに関連して第７態様の第７の実装態様では、少なくとも１つのコンテンツソースのコンテンツ情報を取得することは、送受信機が第２の取得要求をサーバに送信することと、少なくとも２つのアカウント情報に対応するコンテンツソースから、第２の取得要求に従ってサーバが取得するコンテンツ情報を送受信機が受信することを含む。
【００５１】
第７態様の実装態様のいずれか１つに関連して第７態様の第８の実装態様では、表示画面は、Ｎ個のレベルにおいてコンテンツ表示情報を表示し、Ｎは２より大きい又は２に等しい整数である。
【００５２】
第８態様に従って、本発明の一実施形態が情報表示端末を提供し、端末は、プロセッサ、メモリ、表示画面、及び送受信機を含み、プロセッサ、メモリ、表示画面、及び送受信機はバスを用いて通信を実行する。送受信機は、少なくとも１つのコンテンツソースのコンテンツ情報を取得すべく取得要求をサーバに送信するよう構成され、少なくとも１つのコンテンツソースは端末に格納された少なくとも２つのアカウント情報に対応する。送受信機は、サーバが取得要求に従って送信したコンテンツ表示情報を受信するようさらに構成され、コンテンツ表示情報は、少なくとも２つのアカウント情報に対応するコンテンツソースから取得されるコンテンツ情報をサーバが統合することによって取得される。プロセッサは受信したコンテンツ表示情報を解析するよう構成され、表示画面はコンテンツ表示情報を表示するよう構成される。
【００５３】
第８態様に関連して第８態様の第１の実装態様では、コンテンツ表示情報は構造化データ形式の分類されたコンテンツ情報である。
【００５４】
第８態様の第１の実装態様に関連して第８態様の第２の実装態様では、分類タイプは、ユーザ識別子、サービスタイプ、又はコンテンツソースのうち１つ又は複数を含む。
【００５５】
第８態様の第２の実装態様に関連して第８態様の第３の実装態様では、サービスタイプは、速達便、音楽、写真、コンタクトメッセージ、イベントプロンプトメッセージ、証券などのうち１つ又は複数を含む。
【００５６】
第８態様の実装態様のいずれか１つに関連して第８態様の第４の実装態様では、コンテンツ表示情報を表示することは、コンテンツ表示情報の更新時間に従ってコンテンツ表示情報を逆順序で表示することを含む。
【００５７】
第８態様の実装態様のいずれか１つに関連して第８態様の第５の実装態様では、表示画面は、Ｎ個のレベルにおいてコンテンツ表示情報を表示し、Ｎは２より大きい又は２に等しい整数である。
【００５８】
第９態様に従って、本発明の一実施形態が情報表示サーバを提供し、サーバは、プロセッサ、メモリ、表示画面、及び送受信機を含み、プロセッサ、メモリ、表示画面、及び送受信機はバスを用いて通信を実行する。プロセッサは、少なくとも２つのアカウント情報と当該少なくとも２つのアカウント情報に対応するコンテンツソースのアドレス情報とを取得するよう構成され、少なくとも２つのアカウント情報は少なくとも１つのコンテンツソースに対応する。送受信機は、少なくとも２つのアカウント情報と当該少なくとも２つのアカウント情報に対応するコンテンツソースのアドレス情報とに従って、少なくとも２つのアカウント情報に対応するコンテンツソースからコンテンツ情報を取得するよう構成される。プロセッサは、コンテンツ情報をコンテンツ表示メッセージに統合するようさらに構成され、送受信機は、表示するためにコンテンツ表示情報を端末に送信するようさらに構成される。
【００５９】
第９態様に関連して第９態様の第１の実装態様では、プロセッサは具体的には、ルールに従ってコンテンツ情報を非構造化データ形式から構造化データ形式に変換し、構造化データ形式のコンテンツ情報を分類して、構造化データ形式の分類されたコンテンツ情報、すなわちコンテンツ表示情報を取得するよう構成される。
【００６０】
第９態様に関連して第９態様の第２の実装態様では、プロセッサは具体的には、コンテンツ情報を分類し、分類されたコンテンツ情報をルールに従って非構造化データ形式から構造化データ形式に変換して、構造化データ形式の分類されたコンテンツ情報、すなわちコンテンツ表示情報を取得するよう構成される。
【００６１】
第９態様の実装態様のいずれか１つに関連して第９態様の第３の実装態様では、少なくとも２つのアカウント情報と当該少なくとも２つのアカウント情報に対応するコンテンツソースのアドレス情報とを取得する前に、端末が送信する取得要求をサーバが受信することをさらに含み、取得要求はコンテンツソースのコンテンツ情報を取得するようサーバに命令するのに用いられる。
【００６２】
上述の本発明の実施形態において提供される解決手段に従って、コンテンツソースのコンテンツ情報が取得され、統合され、その後分類によってユーザに表示される。これにより、ユーザが情報を照会するのが簡便かつ直観的になる。
【図面の簡単な説明】
【００６３】
本発明の実施形態又は従来技術における技術的解決手段をより明確に説明すべく、これらの実施形態を説明するのに必要となる添付図面を以下に簡潔に紹介する。以下の説明における添付図面は、単に本発明のいくつかの実施形態を示すに過ぎず、それでも当業者は創造的な努力をすることなくこれらの添付図面から他の図面を導き出し得ることは明らかである。
【００６４】
【図１】本発明の実施形態１による情報表示方法の概略フローチャートである。
【００６５】
【図１ａ】本発明の実施形態１による情報表示方法の実装方法の概略フローチャートである。
【００６６】
【図１ｂ】本発明の実施形態１による情報表示方法の別の実装方法の概略フローチャートである。
【００６７】
【図２ａ】本発明の実施形態２による情報表示方法の概略フローチャートである。
【００６８】
【図２ｂ】本発明の実施形態２による更に別の情報表示方法の概略フローチャートである。
【００６９】
【図２ｃ】本発明の実施形態２による更に別の情報表示方法の実装方法の概略フローチャートである。
【００７０】
【図２ｄ】本発明の実施形態２による更に別の情報表示方法の別の実装方法の概略フローチャートである。
【００７１】
【図３】本発明の実施形態３による更に別の情報表示装置の概略構造図である。
【００７２】
【図４ａ】本発明の実施形態４による情報表示装置の概略構造図である。
【００７３】
【図４ｂ】本発明の実施形態４による更に別の情報表示装置の概略構造図である。
【００７４】
【図５】本発明の実施形態５による情報表示端末のハードウェアの概略構造図である。
【００７５】
【図６】本発明の実施形態６による情報表示サーバのハードウェアの概略構造図である。
【発明を実施するための形態】
【００７６】
本発明の目的、技術的解決手段、及び利点をより明確にすべく、添付図面を参照して、以下に本発明の実施形態を詳細にさらに説明する。本発明を理解すべく、多数の具体的な詳細が以下の詳細な説明において言及されている。しかし、当業者であれば、これらの具体的な詳細を必要とすることなく、本発明が実装され得ることを理解しなければならない。別の例において、実施形態が不必要にあいまいにならないように、周知の方法、プロセス、構成要素、回路などは詳細に説明されていない。説明される実施形態は、本発明の実施形態のいくつかであり、全てではないことは明らかである。本発明の実施形態に基づいて、創造的な努力をすることなく当業者によって取得される他の全ての実施形態は、本発明の保護範囲内に含まれることになる。
【００７７】
以下に説明されるいくつかの手順は、特定の順序で現れる複数の作業を含む。しかし、これらの作業は、これらの作業が本明細書に現れる順序で実行されなくてよく、又は並列に実行されてもよいことが明確に理解されなければならない。１０２及び１０４などの作業のシーケンス番号は、単に異なる作業を区別するのに用いられているに過ぎない。シーケンス番号そのものは、いかなる実行順序も表さない。さらに、これらの手順は、より多い又はより少ない作業を含んでよく、またこれらの作業は順に実行されてよく、又は並列に実行されてもよい。
【００７８】
本明細書では「第１」又は「第２」などの説明が、異なるメッセージ、デバイス、モジュールなどを区別するのに用いられており、これは、順序を表すこともなく、「第１」と「第２」とが異なるタイプであるという制約を課すこともないことに注意すべきである。本明細書において「〜の場合（Ｉｆ）」は、ある条件又は状態が満たされていることを表し、「〜のとき（ｗｈｅｎ）」、「条件が満たされている」、及び「判断が有効」などの意味を含む。「メッセージ」は、シグナリング、通信信号、及びデータメッセージなどの様々な形態を含むいくつかの情報を運ぶキャリアである。
【００７９】
本発明の実施形態で説明される端末は、限定されないが、表示機能を有するユーザ機器、例えば、スマートフォン、タブレットコンピュータ、インテリジェント・アプライアンス、全地球測位システム（Ｇｌｏｂａｌ  Ｐｏｓｉｔｉｏｎ  Ｓｙｓｔｅｍ、ＧＰＳ）デバイス、ワイヤレス・フィディリティ（Ｗｉｒｅｌｅｓｓ  Ｆｉｄｅｌｉｔｙ、Ｗｉ−Ｆｉ）ホットスポットデバイス、無線ネットワークアクセスデバイス、インテリジェント眼鏡、インテリジェント・ウォッチ、及び別のウェアラブル・インテリジェント・デバイスなどを含むことに注意すべきである。
【００８０】
本発明の実施形態で説明されるコンテンツソースは、ユーザに必要な情報又は必要なサービスを提供するのに用いられ、このコンテンツソースはウェブサイト、アプリケーションなどであってよいことに注意すべきである。本発明の実施形態で説明される異なるコンテンツソースは、同じベンダからのものであってよく、又は異なるベンダからのものであってもよい。例えば、コンテンツソースは、Ａｍａｚｏｎ、Ｑｕｎａｒ、又はＹｏｕＴｕｂｅ（登録商標）などのウェブサイトを含んでよい。
【００８１】
ユーザは、端末を用いてコンテンツソースを選択し、そのコンテンツソースからコンテンツ情報を取得してよい。コンテンツ情報は、コンテンツソースにおいてユーザ関連の情報を示し、ユーザが選択したサービス、及びユーザが格納した情報などの特定のコンテンツを含んでよい。例えば、コンテンツ情報は、Ｔａｏｂａｏから購入した商品の商品名、速達便状況などを含む特定の情報であってよい。コンテンツ情報は同じコンテンツソースからのものであってよく、すなわち、端末は１つのコンテンツソースの１つのコンテンツ情報、又は１つのコンテンツソースの複数のコンテンツ情報を取得する。コンテンツ情報は異なるコンテンツソースからのものであってよく、すなわち、端末によって取得される複数のコンテンツ情報は異なるコンテンツソースからのものであってよい。コンテンツ情報は端末から取得されてよく、又はウェブサイト、アプリケーションなどのサーバから取得されてもよい。
【００８２】
コンテンツソースのアカウント情報は、コンテンツ情報がコンテンツソースから取得されるときに、端末を検証するのにコンテンツソースによって用いられる情報であり、これは、対応するユーザ名、ユーザ名及びユーザパスワードなどを含み得る。例えば、ＳＭＳアプリケーションのアカウント情報は、端末の加入者識別モジュールカードの識別子であってよい。Ａｍａｚｏｎウェブサイトのアカウント情報は、Ａｍａｚｏｎにおいて端末を用いることでユーザが登録したユーザ名及びパスワードであってよい。
【００８３】
本発明の実施形態におけるでデータ形式は、データがファイル又はレコードに格納されるオーケストレーションフォーマットを示すことに注意すべきである。本発明において、本発明の実施形態の方法を実装すべく情報集約アプリケーションが起動する場合、本発明の実施形態で説明される構造化データ形式のコンテンツ情報及び非構造化データ形式のコンテンツ情報の両方が、アプリケーションのデータのストレージフォーマットに関連する。構造化データ形式は、データオーケストレーションフォーマットのフィールドが明白且つ明確な意味を有し、決定された順序に従って構成されていることを示し、またアプリケーションのデータのストレージフォーマットである。アプリケーションは、構造化データ形式のデータを直接読み取って使用し表示し得る。非構造化データ形式は、構造化データ形式を除いたデータ、すなわち、情報集約アプリケーションが直接読み取って使用し表示することができないデータ形式である。例えば、情報集約アプリケーションによってＡｍａｚｏｎから取得されたコンテンツ情報は、ハイパーテキストマークアップ言語（ＨｙｐｅｒＴｅｘｔ  Ｍａｒｋ−ｕｐ  Ｌａｎｇｕａｇｅ、ＨＴＭＬ）ファイルであり得、これは、情報集約アプリケーションが直接識別できない多くのデータを含み、情報集約アプリケーションのデータ形式に対して、不明確な意味、不規則、又は不均一な配置が特徴になる。情報集約アプリケーションは、ＡｍａｚｏｎのＨＴＭＬファイルと情報集約アプリケーションが予め設定したデータ形式との間の対応関係に従って、情報集約アプリケーションが必要とするコンテンツを取り出し得る。コンテンツは、アレイ又はデータベースなど、情報集約アプリケーションのデータ形式に従ってオーケストレートされる。すなわち、情報集約アプリケーションの構造化データ形式のコンテンツ情報が取得される。
【００８４】
本発明の実施形態１が情報表示方法を提供する。図１に示されるように、本方法は端末によって実行され得る。本方法は、以下の段階を含む。
【００８５】
段階１０２：少なくとも１つのコンテンツソースのコンテンツ情報を取得する。少なくとも１つのコンテンツソースは端末に格納された少なくとも２つのアカウント情報に対応する。
【００８６】
段階１０４：コンテンツ情報をコンテンツ表示情報に統合する。
【００８７】
段階１０６：コンテンツ表示情報を表示する。
【００８８】
任意で、本発明のこの実施形態における本方法は、情報集約アプリケーションを起動させることで、端末によって実行され得る。情報集約アプリケーションが開始されるとき、段階１０２が実行され得る。情報集約アプリケーションを開始するには複数の方法があり、例えば、情報集約アプリケーションに対応するアイコンをクリックする、又は情報集約アプリケーションに対応するショートカットキーを押すなどである。情報集約アプリケーションを開始する方法は、本発明のこの実施形態において限定されるものではない。
【００８９】
任意で、情報集約アプリケーションのインタフェースに更新ボタンがさらに設定されてよく、ユーザが、更新ボタンをクリックするなどの方法で更新をトリガーすると、段階１０２が実行され得る。
【００９０】
任意で、端末はまた、スケジューリングされた時間に段階１０２を実行してよい。タイマを設定することによって、又は別の方法で、予め設定された時間間隔が終了した場合、又は予め設定された時点に到達した場合、段階１０２が実行される。段階１０２が実行された後、段階１０４及び段階１０６が直接実行されてよく、又は、段階１０４及び段階１０６の前に別の工程が実行され、その後、段階１０４及び段階１０６が実行されてもよい。例えば、デフォルト又はユーザによる情報集約アプリケーションセットは、５分の間隔を設定してよく、その間に、表示されるコンテンツ表示メッセージは１回更新される。すなわち、表示されるコンテンツ表示メッセージを更新すべく、段階１０２から段階１０６までの方法が５分ごとに実行される。デフォルト又はユーザによる情報集約アプリケーションセットはまた、ある特定の時点を設定してよく、又はいくつかの時点を設定してもよく、そこの時点で、表示されるコンテンツ表示メッセージが更新される。すなわち、表示されるコンテンツ表示メッセージを更新すべく、段階１０２から段階１０６までの方法がその時点で実行される。
【００９１】
特定の実装プロセスにおいて、ユーザは、上述の情報集約アプリケーションにログインするのに用いられるシステムアカウントを登録してよい。システムアカウントにログインした後、ユーザは端末を用いることで、システムアカウントに関連付けられたコンテンツソース、及びシステムアカウントに関連付けられたコンテンツソースのアカウント情報を選択又は入力してよい。例えば、情報集約アプリケーションを用いて、Ａｍａｚｏｎ及びＴａｏｂａｏのコンテンツ情報を取得したい場合、まずユーザはシステムアカウントを登録してログインし、Ａｍａｚｏｎ及びＴａｏｂａｏ、並びに対応するＡｍａｚｏｎのアカウント情報及び対応するＴａｏｂａｏのアカウント情報をシステムアカウントに追加してよい。システムアカウントに関連付けられたコンテンツソース又はコンテンツソースのアカウント情報はまた、追加された後に、変更又は削除されてよいことが理解され得る。本発明のこの実施形態は、そのことに何の限定も設けない。１つのコンテンツソースに対応する２つ又はそれより多くのアカウント情報もまた存在してよいことが理解され得る。任意で、システムアカウントに関連付けられたコンテンツソース又はコンテンツソースのアカウント情報が追加、変更、又は削除されるかどうかに関わらず、情報集約アプリケーションは、対応する情報を、格納されたコンテンツソースのアカウント情報にタイムリーに更新する。
【００９２】
特定の実装プロセスにおいて、端末は、コンテンツソースのコンテンツ情報をコンテンツソースから直接取得してよく、又は端末に対応するサーバから取得してもよい。一実装態様において、端末が少なくとも１つのコンテンツソースのコンテンツ情報を取得する段階１０２は、少なくとも２つのアカウント情報と当該少なくとも２つのアカウント情報に対応するコンテンツソースのアドレス情報とを取得する段階と、少なくとも２つのアカウント情報と当該少なくとも２つのアカウント情報に対応するコンテンツソースのアドレス情報とに従って、第１の取得要求をコンテンツソースに送信する段階と、第１の取得要求に従ってコンテンツソースによって送信されたコンテンツ情報を受信する段階とを含む。
【００９３】
コンテンツソースのアドレス情報は、対応するコンテンツソースがアクセスされ得るアドレス、例えば、Ａｍａｚｏｎのアドレスであるｗｗｗ．ａｍａｚｏｎ．ｃｎ．などを指す。端末が、異なるコンテンツソースからコンテンツ情報を取得する場合が、マルチスレッド処理であり得る。マルチスレッド処理は、異なるコンテンツソースのコンテンツ情報が同時に取得されることを示す。任意で、コンテンツソースからコンテンツ情報を取得する具体的な実装が、異なる具体的な状況に従って変化する。例えば、オープンなアプリケーション・プログラミング・インタフェース（Ａｐｐｌｉｃａｔｉｏｎ  Ｐｒｏｇｒａｍｍｉｎｇ  Ｉｎｔｅｒｆａｃｅ、略してＡＰＩ）のコンテンツソースの場合、コンテンツ情報はオープンなＡＰＩを用いて取得されてよい。非オープンなＡＰＩのコンテンツソースの場合、コンテンツ情報は、コンテンツソースのアカウント情報に従って、シミュレーション態様でコンテンツソースにログインすることで取得されてよい。シミュレーションによるログインは、情報集約アプリケーションが、コンテンツソースのアカウント情報に従ってユーザ操作を必要とすることなく、コンテンツソースにログインし、端末もまた、ログインインタフェース及びログインプロセスを表示しないことを示す。
【００９４】
別の実装態様において、端末が少なくとも１つのコンテンツソースのコンテンツ情報を取得する段階１０２は、第２の取得要求をサーバに送信する段階と、少なくとも２つのアカウント情報に対応するコンテンツソースから第２の取得要求に従ってサーバによって取得されるコンテンツ情報を受信する段階とを含む。
【００９５】
第２の取得要求をサーバに送信する前に、まず端末は、コンテンツソースのアカウント情報及びアドレス情報を取得してよい。端末によってサーバに送信される第２の取得要求は、コンテンツソースのアドレス情報及びアカウント情報を含む。コンテンツソースのアカウント情報及びアドレス情報は、少なくとも２つのアカウント情報と当該少なくとも２つのアカウント情報に対応するコンテンツソースのアドレス情報とを含み、少なくとも２つのアカウント情報は少なくとも１つのコンテンツソースに対応する。サーバが、コンテンツソースのアカウント情報及びコンテンツソースのアドレス情報を格納する場合、端末によってサーバに送信される取得要求は、コンテンツソースのアカウント情報及びアドレス情報を含んでよく、又は、システムアカウント情報及びコンテンツソース情報などのコンテンツ情報のコンテンツソースのアカウント情報及びアドレス情報を取得するようサーバに命令し得る他の情報だけを含んでもよい。システムアカウント情報は、システムアカウント又はシステムアカウント識別子を含み、システムアカウント識別子は、システムアカウントを一意に示す。サーバは、システムアカウント情報に従って、システムアカウントに関連付けられたコンテンツソースの格納されたアカウント情報及び格納されたアドレス情報を取得してよい。コンテンツソース情報は、コンテンツソース識別子、又はコンテンツソースのアドレス情報であってよく、コンテンツソース識別子はコンテンツソースのアドレスを一意に示し得、それは数字、文字などであってよい。本発明は、コンテンツソース識別子の形態に何の限定も設けない。端末が対応するサーバからコンテンツ情報を取得する場合が、マルチスレッド処理であり得る。
【００９６】
任意で、段階１０２は、コンテンツソースのコンテンツ情報が取得される前に認証をさらに含む。
【００９７】
認証とは、情報集約アプリケーションがコンテンツソースのアカウント情報に従ってコンテンツソースにログインする場合、コンテンツソースが関連するアカウント情報の許可を確認することであり得る。認証はまた、情報集約アプリケーションがアカウントログイン認証を含むことであってよい。つまり、情報集約アプリケーションがコンテンツソースにログインした後に、クッキー（Ｃｏｏｋｉｅ）など、コンテンツソースの認証メッセージが取得されてよく、クッキーはコンテンツソースのアカウント名を暗号化する暗号化形式であり、異なるコンテンツソースは異なるクッキーに対応する。認証メッセージは特定の形式で格納されてよい。例えば、認証メッセージ、及びシステムアカウントを識別するシステム識別子が、暗号化形式で格納される。情報集約アプリケーションが、コンテンツ情報を取得するコンテンツソースのアカウント情報に従って、再度コンテンツソースにログインする場合、まず格納された認証メッセージが、システムアカウントのアカウント情報及びコンテンツソースのアカウント情報に従って取得される。情報集約アプリケーションがコンテンツ情報をコンテンツソースから取得する場合、端末によって送信されるメッセージが認証メッセージを搬送し、認証メッセージに従ってコンテンツソースが許可を確認する。一例だけを用いて、認証が本発明のこの実施形態において説明されており、特定の形式の認証が限定されるわけではない。認証は、ユーザアカウントのセキュリティをさらに確実にし得る。
【００９８】
任意で、段階１０４においてコンテンツ情報をコンテンツ表示情報に統合する一実装態様が図１ａに示されており、以下の段階を含む。
【００９９】
段階１０４２ａ：コンテンツ情報をルールに従って非構造化データ形式から構造化データ形式に変換する。
【０１００】
段階１０４４ａ：構造化データ形式のコンテンツ情報を分類し、構造化データ形式の分類されたコンテンツ情報、すなわちコンテンツ表示情報を取得する。
【０１０１】
段階１０４２ａにおいて、ルールに従って、コンテンツ情報を非構造化データ形式から構造化データ形式に変換する段階は、必要なコンテンツ表示情報の一様な表示を容易にし得る。ルールはデータフォーマット変換の対応関係である。すなわち、非構造化データ形式のコンテンツ情報が取得された後に、非構造化データ形式のコンテンツ情報と構造化データ形式のコンテンツ情報との間の、ルールにおける対応関係に従って、構造化データ形式の対応するコンテンツ情報が非構造化データ形式のコンテンツ情報から取得される。各コンテンツソースのコンテンツ情報は異なるデータ形式を有し、従って、異なるコンテンツソースには異なるルールが存在する。任意で、本発明のこの実施形態で説明されるコンテンツソースは、コンテンツ情報を取得する精度を向上させるようにカスタマイズされたコンテンツソースである。カスタマイズされたコンテンツソースは、情報集約アプリケーションによって追加されるコンテンツソースが、このアプリケーションのルールを含んだコンテンツソースのうち１つ又は複数であることを示す。ルールを含んだコンテンツソースは、コンテンツソースに対応するコンテンツ情報が分析され、コンテンツソースのコンテンツ情報のデータフォーマット変換に対応するルールが格納されていることを示す。具体的には、オープンなＡＰＩのコンテンツソースの場合、コンテンツソースのコンテンツ情報はＡＰＩを用いて取得されてよく、必要なコンテンツ情報が、ルールに従ってコンテンツソースのコンテンツ情報から取り出され、情報集約アプリケーションの構造化データ形式で格納される。非オープンなＡＰＩのコンテンツソースの場合、シミュレーション態様でコンテンツソースにログインすることによって関連コンテンツ情報が取得された後に、取得された非構造化データ形式のコンテンツ情報は、ルールに従って、情報集約アプリケーションの構造化データ形式のコンテンツ情報に変換され得る。任意で、まずルールは端末又はサーバに格納されてよい。コンテンツソースのコンテンツ情報が取得されるとき、対応するルールがロードされ、構造化データ形式のコンテンツ情報が、ルールにおける対応関係に従って取得される。任意で、ルールセンタが設けられてよく、これは端末又はサーバに設けられてよい。ルールが更新される必要がある場合、例えば、コンテンツ情報を取得するコンテンツソースデータ構造が変わる場合、又は新たなコンテンツソースルールが追加される場合、新たなルールがルールセンタに加わるように更新されてよく、そのルールは、ルールを情報集約アプリケーションにプッシュする方法、又は情報集約アプリケーションを更新する（アプリケーションのアップグレードなど）方法で更新される。プッシュとは、サーバと端末との間の通信によって、データ情報を端末に送信することである。本発明のこの実施形態に従って、ルール更新は、ルールを追加する、又はルールを交換するなどのプッシュの方法を用いて実行されてよい。アプリケーションの更新とは、アプリケーションを新たなバージョンに更新することである。情報集約アプリケーションを更新する方法でルールを更新することは、新たなルールが新たなバージョンの情報集約アプリケーションに追加され、ユーザが新たなバージョンのアプリケーションをインストールしたことが検出された場合に、そのルールが更新されることを示す。
【０１０２】
段階１０４４ａにおいて構造化データ形式のコンテンツ情報を分類することは、情報集約アプリケーションの分類に従って実行される。情報集約アプリケーションの分類は、ユーザ定義の分類であってよく、又はアプリケーションに設定されているいくつかの分類を選択することであってもよい。特定の形式の分類が、本発明のこの実施形態において限定されるわけではない。
【０１０３】
任意で、情報集約アプリケーションの分類は、ユーザ識別子に基づく分類、サービスタイプに基づく分類、コンテンツソースに基づく分類などのうち１つ又はこれらの組み合わせを含んでよい。ユーザ識別子に基づく分類は異なるユーザ識別子に従った分類であり、ユーザ識別子はユーザ識別情報を示し得るフィールドを指し、同じユーザ識別子を有するユーザは同じユーザである。各コンテンツソースのアカウント情報は１つのユーザ識別子に対応する。ユーザ識別子は文字、数字などであってよく、特定の形式のユーザ識別子が限定されるわけではない。例えば、情報集約アプリケーションは２つの異なるユーザ識別子に関する情報を含み、端末はユーザ識別子に従って同じユーザ識別子を有する情報を１つのカテゴリに分類してよい。これらの２つのユーザ識別子がそれぞれ、ジャックとトムとを識別する場合、ジャックについての全てのコンテンツ情報が１つのカテゴリに分類され、トムに関する情報が１つのカテゴリに分類される。サービスタイプに基づく分類は、コンテンツ情報に基づく属性分類である。サービスタイプに基づく分類のタイプは、速達便、音楽、写真、コンタクトメッセージ、イベントプロンプトメッセージ、証券などのうち１つ又は複数を含んでよい。同じサービスタイプを有する、又は同じサービスタイプ識別子を有するコンテンツ情報が１つのカテゴリに分類される。具体的には、速達便カテゴリは、速達便情報を含む全てのコンテンツ情報が１つのカテゴリに分類されることを示し、そのカテゴリは、Ａｍａｚｏｎ、Ｊｉｎｇｄｏｎｇ、又はＴａｏｂａｏなどのコンテンツソースの速達便情報を具体的に含んでよい。音楽に基づく分類は、属性が音楽であるコンテンツ情報が１つのカテゴリに分類されることを示し、そのカテゴリは、ウェブオンラインミュージック、ｑｑ音楽、端末に格納された音楽などを含んでよい。写真に基づく分類は、取得されたフォトアルバム情報が１つのカテゴリに分類されることを示し、そのカテゴリは、ｆｌｉｃｋｒのフォトアルバム、Ｉｎｓｔａｇｒａｍのフォトアルバムなどを含んでよい。コンタクトメッセージのカテゴリは、ＳＭＳメッセージ、通話、Ｗｅｉｂｏ、又は電子メールなどの情報を含んでよい。証券カテゴリは、証券の購入時期、証券の有効期間、又は証券の使用可能期間などの購入済み証券情報を示し、具体的には、購入済み航空券、購入済み乗車券、又は購入済み映画チケットを含んでよい。コンテンツソースに基づく分類は、コンテンツ情報のソースに基づく分類である。すなわち、同じコンテンツソースの情報は１つのカテゴリに分類される。例えば、Ｔａｏｂａｏから取得される全てのコンテンツ情報は１つのカテゴリに分類され、そのカテゴリは、複数のＴａｏｂａｏアカウントのコンテンツ情報、又は１つのＴａｏｂａｏアカウントが含む複数のコンテンツ情報などを含んでよい。同様に、Ｊｉｎｇｄｏｎｇから取得されるコンテンツ情報は１つのカテゴリに分類されてよく、Ｓｉｎａ  Ｗｅｉｂｏのコンテンツ情報は１つのカテゴリに分類されるなどである。本発明のこの実施形態に含まれる分類方法は、上述の分類のうち１つ又はこれらの組み合わせをさらに含む。例えば、複数の分類のうち１つ又はそれらの組み合わせ���、第１レベル分類及び第２レベル分類を含んでよく、第２レベル分類は第１レベル分類より下位になる。具体的には、第１レベル分類が速達便などのサービスタイプに基づく分類であり、第２レベル分類がジャック及びトムなどのユーザ識別子に基づく分類である場合、ジャックの速達便情報が一緒に表示され、トムの速達便情報も一緒に表示されるが、ジャックの速達便情報及びトムの速達便情報は両方とも、速達便カテゴリの下に表示される。コンテンツ情報の分類は、一例のみを用いて本発明のこの実施形態に説明されており、分類の特定のコンテンツ及び特定の形式が限定されるわけではない。
【０１０４】
任意で、段階１０４においてコンテンツ情報をコンテンツ表示情報に統合する別の実装態様が図１ｂに示されており、以下の段階を含む。
【０１０５】
段階１０４２ｂ：コンテンツ情報を分類する。
【０１０６】
段階１０４４ｂ：分類されたコンテンツ情報をルールに従って非構造化データ形式から構造化データ形式に変換し、構造化データ形式の分類されたコンテンツ情報、すなわちコンテンツ表示情報を取得する。
【０１０７】
特定の実装プロセスにおいて、段階１０４２ｂから段階１０４４ｂの方法は、段階１０４２ａから段階１０４４ａの方法に類似している。段階１０４２ｂから段階１０４４ｂの方法によれば、まず取得されたコンテンツ情報が分類され、その後、分類されたコンテンツ情報がルールに従って非構造化データ形式から構造化データ形式に変換される。しかし、段階１０４２ａから段階１０４４ａの方法によれば、まずコンテンツ情報はルールに従って非構造化データ形式から構造化データ形式に変換され、その後、構造化データ形式のコンテンツ情報が分類される。特定の分類方法、及びルールに従って非構造化データ形式を構造化データ形式に変換する方法が、段階１０４２ａ及び段階１０４４ａに詳細に説明されており、これらの詳細はここで説明されない。
【０１０８】
任意で、段階１０４の「コンテンツ情報をコンテンツ表示情報に統合する段階」の後に、本方法はコンテンツ表示情報を格納する段階をさらに含んでよい。コンテンツ表示情報を格納することは、統合されたコンテンツ表示情報を格納することである。コンテンツ表示情報を格納する段階は、段階１０６のコンテンツ表示情報を表示する段階の前又は後に実行されてよく、あるいは段階１０６と同時に実行されてもよい。コンテンツ表示情報を格納する段階は、コンテンツ表示情報を格納されたコンテンツ表示情報と比較する段階と、格納されたコンテンツ表示情報を更新する段階とをさらに含む。格納されたコンテンツ表示情報を更新する段階は、具体的に以下のことを含んでよい。つまり、最新のコンテンツ表示情報が存在する場合、格納されたコンテンツ表示情報が置き換えられて最新のコンテンツ表示情報に更新され、最新のコンテンツ表示情報が存在しない場合、コンテンツ表示情報が直接追加／生成される。
【０１０９】
任意で、段階１０６において、コンテンツ表示情報は、構造化データ形式の分類されたコンテンツ情報である。コンテンツ表示情報を表示する段階は、コンテンツ表示情報の更新時間に従ってコンテンツ表示情報を表示する段階を含む。任意で、情報集約アプリケーションは、コンテンツ表示情報の更新時間に従って、コンテンツ表示情報を逆順序で表示してよい。すなわち、分類されたコンテンツ表示情報は、各分類に対応するコンテンツ表示情報の更新時間に従って、逆順序で構成され表示される。逆順序とは、分類されたコンテンツ表示情報が、情報の更新時間に従って逆順序で構成されることを示す。すなわち、まず最新のコンテンツ表示情報が各分類において表示され、次に、コンテンツ表示情報が更新時間に従って連続して構成され表示される。
【０１１０】
任意で、コンテンツ表示情報を表示する段階は、コンテンツ表示情報をレベルごとに表示する段階を含む。コンテンツ表示情報はＮ個のレベルで表示されてよく、Ｎは１より大きい又は１に等しい。任意で、コンテンツ表示情報をレベルごとに表示する段階は、上述のコンテンツ表示情報を分類する段階に対応する。具体的には、例えば、コンテンツ表示情報は２つのレベルで表示され、第１レベル表示は第１レベル分類に対応し、第２レベル表示は第２レベル分類に対応し、第２レベル表示は第１レベル表示より下位になる。例えば、２つの分類の組み合わせが情報集約アプリケーションに設定される。サービスタイプに基づく第１レベル分類は、コンテンツソースに基づく第２レベル分類をさらに含み、対応するコンテンツ表示情報はそれぞれ、Ｔａｏｂａｏ及びＪｉｎｇｄｏｎｇからの速達便情報と、ｆｌｉｃｋｒからの写真情報である。そのような場合、Ｔａｏｂａｏ及びＪｉｎｇｄｏｎｇからの速達便情報は速達便の第１レベル表示の下に表示され、ｆｌｉｃｋｒからの写真情報は写真の第１レベル表示の下に表示される。さらに、Ｔａｏｂａｏからの全ての速達便情報はＴａｏｂａｏの第２レベル分類の下に表示され、Ｊｉｎｇｄｏｎｇからの全ての速達便情報はＪｉｎｇｄｏｎｇの第２レベル分類の下に表示される。このコンテンツ表示情報がさらに、異なるユーザから別々に生じている場合、すなわち、コンテンツ表示情報が異なるユーザ識別子を有する場合、コンテンツ表示情報は３つのレベルで表示され得る。特定の分類情報は２つのレベルでの表示に類似しており、詳細は説明されない。任意で、情報集約アプリケーションの第１の表示ページ、すなわち全ての第１レベル表示又は第１レベル分類情報を含むページが、第１レベル表示のコンテンツ表示情報、又は第１レベル分類のコンテンツ表示情報の全て又は一部を表示してよい。コンテンツ表示情報の一部が表示される場合、各第１レベル表示の表示領域は、第２レベル表示のコンテンツ表示情報に対応する第２の表示ページにアクセスするためのリンクを有する。アプリケーションの第１の表示ページにおいて、全てのレベルの表示が同じ表示方法を有するよう設定されてよい。例えば、１つの最新のコンテンツ表示情報が、各第１レベル表示の下に表示される。全てのレベルの表示はまた、異なる表示形態を有するよう設定されてよい。例えば、第１の表示ページは、１つの最新の速達便情報、２つの最新のコンタクトメッセージなどを表示する。特定の設定フォームが、特定の状況に従って選択され調整されてよく、このことは、本発明のこの実施形態において限定されるものではない。任意で、コンテンツ表示情報を表示する第１の表示ページ又は第２の表示ページは、対応するコンテンツソースにアクセスするためのリンクを有する。
【０１１１】
任意で、コンテンツ表示情報を表示する段階は、表示されるコンテンツ表示情報をリアルタイムで更新する段階をさらに含む。表示されるコンテンツ表示情報をリアルタイムで更新する段階は、システムによってデフォルトで設定された更新時間に従って更新することであってよく、又はユーザによって設定された更新時間に従って更新することであってもよく、あるいは、アプリケーションがトリガー機構を検出し、例えば、ユーザがボタン又はリンクに触れたことを検出した場合に更新してもよい。表示されるコンテンツ表示情報をリアルタイムで更新する段階は、段階１０２において全ての場合を実行する段階をさらに含む。段階１０２を実行する場合は上述されており、詳細はここで説明されない。
【０１１２】
この実施形態で提供される情報表示方法に従って、端末は、コンテンツソースのコンテンツ情報を取得し、コンテンツ情報を統合し、次に、統合されたコンテンツ情報を分類ごとにユーザに表示する。これにより、ユーザは煩わしさがなく簡潔且つ直観的に情報を照会する。
【０１１３】
図２ａ〜図２ｄに示されるように、本発明の実施形態２が情報表示方法を提供する。
【０１１４】
本方法が端末側で実行される場合の本方法のフローチャートが図２ａに示されており、以下の段階を含む。
【０１１５】
段階２０２ａ:少なくとも１つのコンテンツソースのコンテンツ情報を取得すべく、取得要求をサーバに送信する。少なくとも１つのコンテンツソースは端末に格納された少なくとも２つのアカウント情報に対応する。
【０１１６】
段階２０４ａ:取得要求に従ってサーバにより送信されたコンテンツ表示情報を受信する。コンテンツ表示情報は、少なくとも２つのアカウント情報に対応するコンテンツソースから取得されるコンテンツ情報をサーバが統合することで取得される。
【０１１７】
段階２０６ａ：コンテンツ表示情報を表示する。
【０１１８】
本方法がサーバ側で実行される場合の本方法のフローチャートが図２ｂに示されており、以下の段階を含む。
【０１１９】
段階２０２ｂ：少なくとも２つのアカウント情報と当該少なくとも２つのアカウント情報に対応するコンテンツソースのアドレス情報とを取得する。少なくとも２つのアカウント情報は少なくとも１つのコンテンツソースに対応する。
【０１２０】
段階２０４ｂ：少なくとも２つのアカウント情報と当該少なくとも２つのアカウント情報に対応するコンテンツソースのアドレス情報とに従って、少なくとも２つのアカウント情報に対応するコンテンツソースからコンテンツ情報を取得する。
【０１２１】
段階２０６ｂ：コンテンツ情報をコンテンツ表示メッセージに統合する。
【０１２２】
段階２０８ｂ：表示するために、コンテンツ表示情報を端末に送信する。
【０１２３】
任意で、本発明のこの実施形態のフローチャート２ａに説明される方法は、情報集約アプリケーションを起動させることで、端末によって実行されてよい。段階２０２ａを実行する場合は、実施形態１の段階１０２を実行する場合と同じであり、詳細はここで説明されない。
【０１２４】
特定の実装プロセスにおいて、ユーザは、上述の情報集約アプリケーションにログインするのに用いられるシステムアカウントを登録してよい。システムアカウントにログインした後、ユーザは端末を用いることで、システムアカウントに関連付けられたコンテンツソース、及びシステムアカウントに関連付けられたコンテンツソースのアカウント情報を選択又は入力してよい。システムアカウントに関連するコンテンツが実施形態１で説明されており、詳細はここで説明されない。任意で、システムアカウントに関連付けられたコンテンツソース又はコンテンツソースのアカウント情報が追加、変更、又は削除されるかどうかに関わらず、情報集約アプリケーションは、対応する情報を、格納されたコンテンツソースのアカウント情報にタイムリーに更新する。
【０１２５】
コンテンツソースのアカウント情報及びアドレス情報は端末に格納されてよく、又はサーバに格納されてもよく、又は端末及びサーバに格納されてもよい。サーバが、コンテンツソースのアカウント情報及びアドレス情報を格納する場合、端末によってサーバに送信される取得要求は、コンテンツソースのアカウント情報及びアドレス情報を含んでよく、又は、システムアカウント情報及びコンテンツソース情報などのコンテンツソースのアカウント情報及びアドレス情報を取得するようサーバに命令し得る他の情報だけを含んでもよい。システムアカウント情報は、システムアカウント又はシステムアカウント識別子を含み、システムアカウント識別子は、システムアカウントを一意に示す。サーバは、システムアカウント情報に従って、システムアカウントに関連付けられたコンテンツソースの格納されたアカウント情報及び格納されたアドレス情報を取得してよい。コンテンツソース情報は、コンテンツソース識別子又はコンテンツソースのアドレス情報であってよい。コンテンツソース識別子はコンテンツソースのアドレス情報を一意に示すことができ、数字、文字などであってよく、コンテンツソース識別子の形態は本発明において限定されるものではない。
【０１２６】
任意で、端末によってサーバに送信される取得要求は、特定のタスク情報をさらに含んでよい。タスク情報は、取得される必要があるコンテンツ情報の特定のコンテンツを示す。例えば、端末は、購入済みのＴａｏｂａｏ商品に関する情報を取得すべく取得要求をサーバに送信する。送信された要求には、Ｔａｏｂａｏのシステムアカウント識別子及びコンテンツソース情報が含まれる。端末からの取得要求の中のシステムアカウント識別子に従ってユーザ識別情報を確認した後、サーバはＴａｏｂａｏ商品に関する情報を返信する。商品に関する情報が再度取得される場合、例えば、商品の速達便状況が追跡される場合、端末によって送信される取得要求は特定のタスク情報を含んでよい。例えば、タスク情報は、商品の配送伝票番号及び配送会社の情報を搬送してよく、これにより商品の速達便状況を取得するよう要求する。任意で、コンテンツソースのコンテンツ情報が取得される前に、端末はさらに認証を含む。認証に関連するコンテンツが実施形態１で詳細に説明されており、詳細はここで説明されない。
【０１２７】
任意で、端末は取得要求をサーバにＰＯＳＴ態様で送信し、メッセージの形式はＪＳＯＮ（ＪａｖａＳｃｒｉｐｔ（登録商標）Ｏｂｊｅｃｔ  Ｎｏｔａｔｉｏｎ、ＪａｖａＳｃｒｉｐｔ（登録商標）オブジェクト表記法）形式である。端末は、コンテンツ情報を取得するのに必要なパラメータをＪＳＯＮのＢＯＤＹ部に追加する。端末のＰＯＳＴリクエストを受信した後、サーバは要求されたコンテンツ情報を端末に返信する。任意で、コンテンツソースのコンテンツ情報を取得すべく、端末が取得要求をサーバに送信する場合が、マルチスレッド処理であり得る。マルチスレッド処理は、異なるコンテンツソースのコンテンツ情報が同時に取得されることを示す。
【０１２８】
任意で、段階２０４ａの「サーバによって送信されたコンテンツ表示情報を受信する段階」におけるコンテンツ表示情報は、サーバが段階２０２ａの取得要求を受信した場合、取得要求に従ってコンテンツソースから取得されたコンテンツ情報であってよく、又はサーバに格納されていたコンテンツ表示情報であってもよい。
【０１２９】
特定の実装プロセスにおいてコンテンツ表示情報は、構造化データ形式の分類されたコンテンツ情報である。コンテンツ表示情報を表示することはまた、コンテンツ表示情報の分類に従って表示することである。分類は、ユーザ定義の分類であってよく、又はアプリケーションに設定されているいくつかの分類を選択することであってもよい。特定の形式の分類が、本発明のこの実施形態において限定されるわけではない。分類のタイプは、ユーザ識別子、サービスタイプ、コンテンツソースなどのうち１つ又はこれらの組み合わせを含んでよい。ユーザ識別子に基づく分類は異なるユーザ識別子に従った分類であり、ユーザ識別子はユーザ識別情報を示し得るフィールドを指し、同じユーザ識別子を有するユーザは同じユーザである。各コンテンツソースのアカウント情報は１つのユーザ識別子に対応する。ユーザ識別子は文字、数字、文字と数字の組み合わせなどであってよく、特定の形式のユーザ識別子が限定されるわけではない。例えば、情報集約アプリケーションは２つの異なるユーザ識別子に関する情報を含む。すなわち、情報集約アプリケーションは２つの異なるユーザに関する情報を含む。そのような場合、同じユーザ識別子を有する情報が１つのカテゴリに分類される。これらの２つのユーザ識別子がそれぞれ、ジャックとトムとを識別する場合、ジャックについての全てのコンテンツ情報が１つのカテゴリに分類され、トムに関する情報が１つのカテゴリに分類される。サービスタイプに基づく分類は、コンテンツ情報に基づく属性分類である。サービスタイプに基づく分類のタイプは、速達便、音楽、写真、コンタクトメッセージ、イベントプロンプトメッセージ、証券などのうち１つ又は複数を含んでよい。同じサービスタイプを有する、又は同じサービスタイプ識別子を有するコンテンツ情報が１つのカテゴリに分類される。具体的には、速達便カテゴリは、速達便情報を含む全てのコンテンツ情報が１つのカテゴリに分類されることを示し、そのカテゴリは、Ａｍａｚｏｎ、Ｊｉｎｇｄｏｎｇ、又はＴａｏｂａｏなどのコンテンツソースの速達便情報を具体的に含んでよい。音楽に基づく分類は、属性が音楽であるコンテンツ情報が１つのカテゴリに分類されることを示し、そのカテゴリは、ウェブオンラインミュージック、ｑｑ音楽、端末に格納された音楽などを含んでよい。写真に基づく分類は、取得された写真情報が１つのカテゴリに分類されることを示し、そのカテゴリは、ｆｌｉｃｋｒの写真、Ｉｎｓｔａｇｒａｍの写真などを含んでよい。コンタクトメッセージのカテゴリは、ＳＭＳメッセージ、通話、Ｗｅｉｂｏ、又は電子メールなどの情報を含んでよい。証券カテゴリは、証券の購入時期、証券の有効期間、又は証券の使用可能期間などの購入済み証券情報を示し、具体的には、購入済み航空券、購入済み乗車券、又は購入済み映画チケットを含んでよい。コンテンツソースに基づく分類は、コンテンツ情報のソースに基づく分類である。すなわち、同じコンテンツソースの情報は１つのカテゴリに分類される。例えば、Ｔａｏｂａｏから取得される全てのコンテンツ情報は１つのカテゴリに分類され、そのカテゴリは、複数のＴａｏｂａｏアカウントのコンテンツ情報、又は１つのＴａｏｂａｏアカウントが含む複数のコンテンツ情報などを含んでよい。同様に、Ｊｉｎｇｄｏｎｇから取得されるコンテンツ情報は１つのカテゴリに分類されてよく、Ｓｉｎａ  Ｗｅｉｂｏのコンテンツ情報は１つのカテゴリに分類されるなどである。本発明のこの実施形態に含まれる分類方法は、上述の複数の分類のうち１つ又はこれらの組み合わせをさらに含む。例えば、複数の分類のうち１つ又はそれらの組み合わせは、第１レベル分類及び第２レベル分類を含んでよく、第２レベル分類は第１レベル分類より下位になる。具体的には、第１レベル分類が速達便などのサービスタイプに基づく分類であり、第２レベル分類がジャック及びトムなどのユーザ識別子に基づく分類である場合、ジャックの速達便情報が一緒に表示され、トムの速達便情報も一緒に表示されるが、ジャックの速達便情報及びトムの速達便情報は両方とも、速達便カテゴリの下に表示される。コンテンツ情報の分類は、一例のみを用いて本発明のこの実施形態に説明されており、分類の特定のコンテンツ及び特定の形式が限定されるわけではない。
【０１３０】
任意で、コンテンツ表示情報を表示する段階は、コンテンツ表示情報の更新時間に従ってコンテンツ表示情報を表示する段階を含む。任意で、情報集約アプリケーションは、コンテンツ表示情報の更新時間に従って、コンテンツ表示情報を逆順序で表示してよい。すなわち、分類されたコンテンツ表示情報は、各分類に対応するコンテンツ表示情報の更新時間に従って、逆順序で構成され表示される。逆順序とは、分類されたコンテンツ表示情報が、情報の更新時間に従って逆順序で構成されることを示す。すなわち、まず最新のコンテンツ表示情報が各分類において表示され、次に、コンテンツ表示情報が更新時間に従って連続して構成され表示される。
【０１３１】
任意で、コンテンツ表示情報を表示する段階は、コンテンツ表示情報をレベルごとに表示する段階を含む。コンテンツ表示情報はＮ個のレベルで表示されてよく、Ｎは１より大きい又は１に等しい。任意で、コンテンツ表示情報をレベルごとに表示する段階は、上述のコンテンツ表示情報を分類する段階に対応する。具体的には、例えば、コンテンツ表示情報は２つのレベルで表示され、第１レベル表示は第１レベル分類に対応し、第２レベル表示は第２レベル分類に対応し、第２レベル表示は第１レベル表示より下位になる。例えば、２つの分類の組み合わせが情報集約アプリケーションに設定される。サービスタイプに基づく第１レベル分類は、コンテンツソースに基づく第２レベル分類をさらに含み、対応するコンテンツ表示情報はそれぞれ、Ｔａｏｂａｏ及びＪｉｎｇｄｏｎｇからの速達便情報と、ｆｌｉｃｋｒからの写真情報である。そのような場合、Ｔａｏｂａｏ及びＪｉｎｇｄｏｎｇからの速達便情報は速達便の第１レベル表示の下に表示され、ｆｌｉｃｋｒからの写真情報は写真の第１レベル表示の下に表示される。さらに、Ｔａｏｂａｏからの全ての速達便情報はＴａｏｂａｏの第２レベル分類の下に表示され、Ｊｉｎｇｄｏｎｇからの全ての速達便情報はＪｉｎｇｄｏｎｇの第２レベル分類の下に表示される。このコンテンツ表示情報がさらに、異なるユーザから別々に生じている場合、すなわち、コンテンツ表示情報が異なるユーザ識別子を有する場合、コンテンツ表示情報は３つのレベルで表示され得る。特定の分類情報は２つのレベルでの表示に類似しており、詳細は説明されない。任意で、アプリケーションの第１の表示ページ、すなわち全ての第１レベル表示又は第１レベル分類情報を含むページが、第１レベル表示のコンテンツ表示情報、又は第１レベル分類のコンテンツ表示情報の全て又は一部を表示してよい。コンテンツ表示情報の一部が表示される場合、各第１レベル表示の表示領域は、第２レベル表示のコンテンツ表示情報に対応する第２の表示ページにアクセスするためのリンクを有する。アプリケーションの第１の表示ページにおいて、全てのレベルの表示が同じ表示方法を有するよう設定されてよい。例えば、１つの最新のコンテンツ表示情報が、各第１レベル表示の下に表示される。全てのレベルの表示はまた、異なる表示形態を有するよう設定されてよい。例えば、第１の表示ページは、１つの最新の速達便情報、２つの最新のコンタクトメッセージなどを表示する。特定の設定フォームが、特定の状況に従って選択され調整されてよく、このことは、本発明のこの実施形態において限定されるものではない。任意で、コンテンツ表示情報を表示する第１の表示ページ又は第２の表示ページは、対応するコンテンツソースにアクセスするためのリンクを有する。
【０１３２】
任意で、コンテンツ表示情報を表示する段階は、表示されるコンテンツ表示情報をリアルタイムで更新する段階をさらに含む。表示されるコンテンツ表示情報をリアルタイムで更新する段階は、システムによって設定された更新時間に従って更新することであってよく、又はユーザによって設定された更新時間に従って更新することであってもよく、あるいは、アプリケーションがトリガー機構を検出し、例えば、ユーザがボタン又はリンクに触れたことを検出した場合に更新してもよい。表示されるコンテンツ表示情報をリアルタイムで更新する段階は、実施形態１の場合と同じであり、詳細はここで説明されない。
【０１３３】
特定の実装プロセスにおいて、段階２０４ａの「サーバによって送信されたコンテンツ表示情報を受信する段階」の後に、本方法はコンテンツ表示情報を格納する段階をさらに含み得る。コンテンツ表示情報を格納することは、統合されたコンテンツ表示情報を格納することである。コンテンツ表示情報を格納する段階は、段階２０６ａのコンテンツ表示情報を表示する段階の前又は後に実行されてよく、又は段階２０６ａと同時に実行されてもよい。コンテンツ表示情報を格納する段階は、コンテンツ表示情報を格納されたコンテンツ表示情報と比較する段階と、格納されたコンテンツ表示情報を更新する段階とをさらに含む。格納されたコンテンツ表示情報を更新する段階は、具体的に以下のことを含んでよい。つまり、最新のコンテンツ表示情報が存在する場合、格納されたコンテンツ表示情報が置き換えられて最新のコンテンツ表示情報に更新され、最新のコンテンツ表示情報が存在しない場合、コンテンツ表示情報が直接追加／生成される。任意で、端末はコンテンツ表示情報をデータベース形式で格納する。
【０１３４】
特定の実装プロセスにおいて、段階２０２ｂから段階２０６ｂは端末の取得要求を受信する時点で実行されてよい、又は情報集約アプリケーションに従ってデフォルトで設定された時間、あるいはユーザによって設定された時間に実行されてもよい、又は、端末の取得要求が受信される場合、コンテンツソースのコンテンツ情報を取得すべく、取得要求の時間メッセージに従って実行されてもよく、時間メッセージは、特定の時点のメッセージ、時間間隔のメッセージなどであってよい。従って、段階２０２ｂが実行された後、段階２０４ｂから段階２０６ｂが直接実行されてよく、又は段階２０４ｂから段階２０６ｂの前に別の工程が実行され、その後、段階２０４ｂから段階２０６ｂが実行されてもよい。
【０１３５】
特定の実装プロセスにおいて、まずサーバは、少なくとも２つのアカウント情報と当該少なくとも２つのアカウント情報に対応するコンテンツソースのアドレス情報とを含むコンテンツソースのアドレス情報及びアカウント情報を取得する。少なくとも２つのアカウント情報は少なくとも１つのコンテンツソースに対応する。コンテンツソースのアドレス情報は、Ａｍａｚｏｎのアドレスであるｗｗｗ．ａｍａｚｏｎ．ｃｎ．など、コンテンツソースがアクセスし得るアドレスを参照する。
【０１３６】
少なくとも２つのアカウント情報と当該少なくとも２つのアカウント情報に対応するコンテンツソースのアドレス情報とをサーバが取得する前に、本方法は、端末によって送信される取得要求をサーバが受信する段階であって、取得要求はコンテンツソースのコンテンツ情報を取得するようサーバに命令するのに用いられる、段階、又はコンテンツソースのコンテンツ情報を取得すべくサーバをトリガーするタイミング情報をサーバが受信する段階をさらに含む。
【０１３７】
サーバによって取得される、コンテンツソースのアカウント情報及びアドレス情報は、端末の取得要求が受信される場合、サーバが取得要求から取得する、コンテンツソースのアカウント情報及びアドレス情報であってよく、又はサーバが他の情報に従って取得する、コンテンツソースのアカウント情報及びアドレス情報であってもよい。他の情報は端末の取得要求の中にあり、上述のシステムアカウント情報及びコンテンツソース情報など、サーバに格納されたアカウント情報からコンテンツソースのアカウント情報及びアドレス情報を示す。任意で、サーバが、異なるコンテンツソースのコンテンツ情報を取得する場合が、マルチスレッド処理であり得る。マルチスレッド処理は、異なるコンテンツソースのコンテンツ情報が同時に取得されることを示す。特定の実装プロセスにおいて、段階２０６ｂにおいてコンテンツ情報をコンテンツ表示情報に統合する一実装態様が図２ｃに示されており、以下の段階を含む。
【０１３８】
段階２０６２ａ：コンテンツ情報をルールに従って非構造化データ形式から構造化データ形式に変換する。
【０１３９】
段階２０６４ａ：構造化データ形式のコンテンツ情報を分類し、構造化データ形式の分類されたコンテンツ情報、すなわちコンテンツ表示情報を取得する。
【０１４０】
特定の実装プロセスでは、段階２０６ｂにおいてコンテンツ情報をコンテンツ表示情報に統合する別の実装態様が図２ｄに示されており、以下の段階を含む。
【０１４１】
段階２０６２ｂ：コンテンツ情報を分類する。
【０１４２】
段階２０６４ｂ：分類されたコンテンツ情報をルールに従って非構造化データ形式から構造化データ形式に変換し、構造化データ形式の分類されたコンテンツ情報、すなわちコンテンツ表示情報を取得する。
【０１４３】
上述の２つの実装態様は、実施形態１の段階１０４の２つの実装態様に類似している。しかし、この実施形態では、コンテンツ情報をコンテンツ表示情報に統合する段階はサーバによって実行される。これらの２つの実装態様は実施形態１に詳細に説明されており、詳細はここで説明されない。
【０１４４】
特定の実装プロセスにおいて、段階２０６ｂの「コンテンツ情報をコンテンツ表示情報に統合する段階」の後に、本方法は、コンテンツ表示情報を格納する段階をさらに含んでよい。コンテンツ表示情報を格納することは、統合されたコンテンツ表示情報を格納することである。コンテンツ表示情報を格納する段階は、表示するためにコンテンツ表示情報を端末に送信する段階２０８ｂの前又は後に実行されてよく、あるいは段階２０８ｂと同時に実行されてもよい。コンテンツ表示情報を格納する段階は、コンテンツ表示情報を格納されたコンテンツ表示情報と比較する段階と、格納されたコンテンツ表示情報を更新する段階とをさらに含む。格納されたコンテンツ表示情報を更新する段階は、具体的に以下のことを含んでよい。つまり、最新のコンテンツ表示情報が存在する場合、格納されたコンテンツ表示情報が置き換えられて最新のコンテンツ表示情報に更新され、最新のコンテンツ表示情報が存在しない場合、コンテンツ表示情報が直接追加／生成される。任意で、サーバはコンテンツ表示情報をデータベース形式で格納する。
【０１４５】
特定の実装プロセスにおいて、コンテンツ表示情報を表示する段階が、端末に格納されたコンテンツ情報を取得する段階を含む場合、端末はコンテンツ情報をコンテンツ表示情報に統合し、サーバによって送信されたコンテンツ表示情報と一緒にコンテンツ表示情報を表示する。
【０１４６】
この実施形態によれば、端末は要求を送信し、コンテンツ情報はアプリケーションサーバを用いて取得され、コンテンツ情報は統合され、その後、端末を用いることでユーザに表示される。これにより、ユーザは煩わしさがなく簡潔且つ直観的に情報を照会する。
【０１４７】
本発明の実施形態３が情報表示装置３００を提供し、装置３００の構造図が図３に示されている。本装置は端末側に配置され、実施形態１の方法を実行するよう構成される。実施形態１において実装され得る全ての解決手段及び特徴は、この実施形態に適用可能であり、詳細はここで説明されない。
【０１４８】
この情報表示装置３００は、少なくとも１つのコンテンツソースのコンテンツ情報を取得するよう構成された収集モジュール３０２であって、少なくとも１つのコンテンツソースは端末に格納された少なくとも２つのアカウント情報に対応する、収集モジュール３０２と、コンテンツ情報をコンテンツ表示情報に統合するよう構成された統合モジュール３０４と、コンテンツ表示情報を表示するよう構成された表示モジュール３０６とを含む。
【０１４９】
特定の実装プロセスにおいて、収集モジュール３０２は、少なくとも２つのアカウント情報と当該少なくとも２つのアカウント情報に対応するコンテンツソースのアドレス情報とを取得するよう構成された取得モジュールと、少なくとも２つのアカウント情報と当該少なくとも２つのアカウント情報に対応するコンテンツソースのアドレス情報とに従って、第１の取得要求をコンテンツソースに送信するよう構成された送信モジュールと、第１の取得要求に従ってコンテンツソースによって送信されたコンテンツ情報を受信するよう構成された受信モジュールとを含んでよい。
【０１５０】
代替的に、収集モジュール３０２は、第２の取得要求をサーバに送信するよう構成された送信モジュールと、第２の取得要求に従って、少なくとも２つのアカウント情報に対応するコンテンツソースからサーバによって取得されるコンテンツ情報を受信するよう構成された受信モジュールとを含んでよい。
【０１５１】
特定の実装プロセスにおいて、統合モジュール３０４は、収集モジュールによって取得されたコンテンツ情報をルールに従って非構造化データ形式から構造化データ形式に変換するよう構成された変換モジュール、又は、コンテンツ表示情報を取得すべく、分類されたコンテンツ情報をルールに従って非構造化データ形式から構造化データ形式に変換するよう構成された変換モジュールと、コンテンツ表示情報を取得すべく構造化データ形式のコンテンツ情報を分類するよう構成された分類モジュール、又は、収集モジュールによって取得されたコンテンツ情報を分類するよう構成された分類モジュールとを含む。
【０１５２】
任意で、装置３００は、コンテンツ表示情報を格納するよう構成されたストレージモジュールをさらに含む。
【０１５３】
この実施形態において提供される情報表示装置によれば、コンテンツソースのコンテンツ情報が取得され、統合され、その後、分類によってユーザに表示される。これにより、ユーザは煩わしさがなく簡潔且つ直観的に情報を照会する。
【０１５４】
本発明の実施形態４が情報表示装置４００を提供し、装置４００の構造図が図４ａ及び図４ｂに示されている。装置４００は実施形態２の方法を実行するよう構成される。本装置は、端末側に配置される場合に装置４００ａであり、図２ａの方法を実行する。本装置は、サーバ側に配置される場合に装置４００ｂであり、図２ｂの方法を実行する。実施形態２において実装され得る全ての解決手段及び特徴は、この実施形態に適用可能であり、詳細はここで説明されない。
【０１５５】
この情報表示装置４００ａは、少なくとも１つのコンテンツソースのコンテンツ情報を取得すべく、取得要求をサーバに送信するよう構成された送信モジュール４０２ａであって、少なくとも１つのコンテンツソースは端末に格納された少なくとも２つのアカウント情報に対応する、送信モジュール４０２ａと、取得要求に従ってサーバが送信するコンテンツ表示情報を受信するよう構成された受信モジュール４０４ａであって、コンテンツ表示情報は、少なくとも２つのアカウント情報に対応するコンテンツソースから取得されるコンテンツ情報をサーバが統合することによって取得される、受信モジュール４０４ａと、コンテンツ表示情報を表示するよう構成された表示モジュール４０６ａとを含む。
【０１５６】
この情報表示装置４００ｂは、少なくとも２つのアカウント情報と当該少なくとも２つのアカウント情報に対応するコンテンツソースのアドレス情報とを取得するよう構成された取得モジュール４０２ｂであって、少なくとも２つのアカウント情報は少なくとも１つのコンテンツソースに対応する、取得モジュール４０２ｂと、少なくとも２つのアカウント情報と当該少なくとも２つのアカウント情報に対応するコンテンツソースのアドレス情報とに従って、少なくとも２つのアカウント情報に対応するコンテンツソースからコンテンツ情報を取得するよう構成された収集モジュール４０４ｂと、コンテンツ情報をコンテンツ表示情報に統合するよう構成された統合モジュール４０６ｂと、表示するためにコンテンツ表示情報を端末に送信するよう構成された送信モジュール４０８ｂとを含む。
【０１５７】
特定の実装プロセスにおいて、統合モジュール４０６ｂは、収集モジュールによって取得されたコンテンツ情報をルールに従って非構造化データ形式から構造化データ形式に変換するよう構成された変換モジュール、又は、コンテンツ表示情報を取得すべく、分類されたコンテンツ情報をルールに従って非構造化データ形式から構造化データ形式に変換するよう構成された変換モジュールと、コンテンツ表示情報を取得すべく構造化データ形式のコンテンツ情報を分類するよう構成された分類モジュール、又は、収集モジュールによって取得されたコンテンツ情報を分類するよう構成された分類モジュールとをさらに含む。
【０１５８】
この実施形態の本装置によれば、コンテンツ情報が取得され、統合され、その後、ユーザに表示される。これにより、ユーザは煩わしさがなく簡潔且つ直観的に情報を照会する。
【０１５９】
図５は、本発明の実施形態５による端末のハードウェアの概略構造図である。図５に示されるように、端末５００は、プロセッサ５０２と、メモリ５０４と、送受信機５０６と、表示画面５０８と、バス５１０とを含む。プロセッサ５０２と、メモリ５０４と、送受信機５０６と、表示画面５０８とは、バス５１０を用いて通信を実行する。
【０１６０】
端末は、実施形態１、実施形態２、及び実施形態３において、端末によって実行される方法を実行するよう構成されてよい。本発明に開示される方法の実施形態の端末に関連する全ての内容及び効果は、この実施形態における端末を用いて実装されてよい。従って、方法の実施形態の全ての内容及び効果は、この実施形態に適用可能である。
【０１６１】
端末は、情報集約アプリケーションを実行することで、本発明のこの実施形態における本方法を実装し得る。情報集約アプリケーションは端末にインストールされる任意のアプリケーションを含んでよく、限定されないが、ブラウザ、電子メール、インスタント・メッセージング・サービス、文書処理、キーボード仮想化、ウィンドウウィジェット（Ｗｉｄｇｅｔ）、暗号化、デジタル著作権管理、音声認識、音声複製、位置決定（全地球測位システムによって提供される機能など）、音楽再生などを含む。
【０１６２】
メモリ５０４は、ソフトウェアプログラム及びモジュールを格納するよう構成され得る。メモリ５０４に格納されているソフトウェアプログラム及びモジュールを起動させることで、プロセッサ５０２は端末の様々な機能アプリケーションを実行し、データ処理を実施する。メモリ５０４は主にプログラム記憶領域とデータ記憶領域とを含み、プログラム記憶領域は、オペレーティングシステムと、音声再生プログラム又は映像再生プログラムなど、少なくとも１つ機能によって必要とされるアプリケーションプログラムとを格納し得る。データ記憶領域は、端末の使用に従って生成されるデータ（オーディオデータ又は電話帳など）などを格納し得る。本発明の特定の実装態様において、メモリは揮発性メモリ、例えば、不揮発性ランダム・アクセス・メモリ（Ｎｏｎｖｏｌａｔｉｌｅ  Ｒａｎｄｏｍ  Ａｃｃｅｓｓ  Ｍｅｍｏｒｙ、略してＮＶＲＡＭ）、相変化ＲＡＭ（Ｐｈａｓｅ  Ｃｈａｎｇｅ  ＲＡＭ、略してＰＲＡＭ）、又は磁気抵抗ＲＡＭ（Ｍａｇｅｔｏｒｅｓｉｓｔｉｖｅ  ＲＡＭ、略してＭＲＡＭ）などを含んでよく、あるいは不揮発性メモリ、例えば、少なくとも１つの磁気ディスクストレージデバイス、電気的消去可能プログラマブル・リード・オンリ・メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略してＥＥＰＲＯＭ）、又はフラッシュストレージデバイスなど、例えば、ＮＯＲ型フラッシュメモリ（ＮＯＲ  ｆｌａｓｈ  ｍｅｍｏｒｙ）、ＮＡＮＤ型フラッシュメモリ（ＮＡＮＤ  ｆｌａｓｈ  ｍｅｍｏｒｙ）などを含んでよい。不揮発性メモリは、プロセッサ５０２によって実行されるオペレーティングシステム及びアプリケーションプログラムを格納する。プロセッサ５０２は、不揮発性メモリから、起動プログラム及びデータをメモリにロードし、デジタルコンテンツを大容量記憶装置に格納する。オペレーティングシステムは、様々なコンポーネント及び／又はドライバを含み、これらは、通常のシステムタスク、例えば、メモリ管理、ストレージデバイス制御、又は電力管理などを制御、管理し、様々なソフトウェアとハードウェアとの間の通信を容易にするよう構成される。本発明のこの実装態様において、オペレーティングシステムは、Ｇｏｏｇｌｅのアンドロイドシステム、Ａｐｐｌｅが開発したｉＯＳシステム、Ｍｉｃｒｏｓｏｆｔが開発したＷｉｎｄｏｗｓ（登録商標）オペレーティングシステムなどであってよく、又はＶｘＷｏｒｋｓなどの組み込みオペレーティングシステムであってもよい。
【０１６３】
プロセッサ５０２は端末のコントロールセンタであり、様々なインタフェース及び配線を用いて端末全体の全てのパーツに接続されており、メモリ５０４に格納され且つメモリ５０４に格納されたデータを呼び出すソフトウェアプログラム及び／又はモジュールを起動又は実行することで、端末の様々な機能及び／又はデータ処理を実行する。プロセッサ５０２は、集積回路（Ｉｎｔｅｇｒａｔｅｄ  Ｃｉｒｃｕｉｔ、略してＩＣ）を含み得、それは、例えば、シングルＩＣパッケージを含んでよく、又は、同じ機能又は異なる機能を有するマルチＩＣパッケージを含んでもよい。例えば、プロセッサ５０２は、中央処理装置（Ｃｅｎｔｒａｌ  Ｐｒｏｃｅｓｓｉｎｇ  Ｕｎｉｔ、略してＣＰＵ）だけを含んでよく、又はＧＰＵ、デジタル信号プロセッサ（Ｄｉｇｉｔａｌ  Ｓｉｇｎａｌ  Ｐｒｏｃｅｓｓｏｒ略してＤＳＰ）、及び送受信機５０６の制御チップ（ベースバンドチップなど）の組み合わせであってもよい。本発明のこの実装態様において、ＣＰＵは単一のコンピューティングコアであってよく、又は複数のコンピューティングコアを含んでもよい。
【０１６４】
送受信機５０６は通信チャネルを確立するよう構成され、これにより、端末は通信チャネルを通じてリモートサーバに接続され、メディアデータをリモートサーバからダウンロードする。本発明の特定の実装プロセスにおいて、送受信機５０６は具体的には、プロセッサ５０２の命令に従って、コンテンツソースのコンテンツ情報をコンテンツソースから取得する、又は取得要求をサーバに送信してサーバの応答メッセージを受信するなどのように構成される。送受信機５０６は、通信モジュール、例えば、無線ローカルエリアネットワーク（Ｗｉｒｅｌｅｓｓ  Ｌｏｃａｌ  Ａｒｅａ  Ｎｅｔｗｏｒｋ、略して無線ＬＡＮ）モジュール、Ｂｌｕｅｔｏｏｔｈ（登録商標）モジュール、又はベースバンド（Ｂａｓｅ  Ｂａｎｄ）モジュール、及び通信モジュールに対応する無線周波数（Ｒａｄｉｏ  Ｆｒｅｑｕｅｎｃｙ、略してＲＦ）回路などを含んでよく、無線ローカルエリアネットワーク通信、Ｂｌｕｅｔｏｏｔｈ（登録商標）通信、赤外線通信、及び／又はセルラー方式通信、例えば、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷ−ＣＤＭＡ（登録商標））及び／又は高速ダウンリンクパケットアクセス（Ｈｉｇｈ  Ｓｐｅｅｄ  Ｄｏｗｎｌｉｎｋ  Ｐａｃｋｅｔ  Ａｃｃｅｓｓ、略してＨＳＤＰＡ）などを実行するよう構成される。通信モジュールは、端末の構成要素間の通信を制御するよう構成され、ダイレクトメモリアクセス（Ｄｉｒｅｃｔ  Ｍｅｍｏｒｙ  Ａｃｃｅｓｓ）をサポートし得る。
【０１６５】
無線周波数回路は、情報を送受信する、又は通話中に信号を送受信するよう構成される。例えば、基地局のダウンリンク情報が受信された後に、プロセッサ５０２はダウンリンク情報を処理し、さらに意図したアップリンクデータが基地局に送信される。一般的に、無線周波数回路はこれらの機能を実行するのに用いられる周知の回路を含み、それには、限定されないが、アンテナシステム、無線周波数送受信機、１つ又は複数の増幅器、チューナ、１つ又は複数の発振器、デジタル信号プロセッサ、コーデック（Ｃｏｄｅｃ）チップセット、加入者識別モジュール（ＳＩＭ）カード、メモリなどが含まれる。さらに、無線周波数回路は、無線通信によってネットワーク及び別のデバイスとさらに通信し得る。無線通信は任意の通信規格又はプロトコルを用いてよく、それらは限定されないが、ＧＳＭ（登録商標）（Ｇｌｏｂａｌ  Ｓｙｓｔｅｍ  ｏｆ  Ｍｏｂｉｌｅ  ｃｏｍｍｕｎｉｃａｔｉｏｎ、移動体通信用グローバルシステム）、ＧＰＲＳ（Ｇｅｎｅｒａｌ  Ｐａｃｋｅｔ  Ｒａｄｉｏ  Ｓｅｒｖｉｃｅ、汎用パケット無線サービス）、ＣＤＭＡ（Ｃｏｄｅ  Ｄｉｖｉｓｉｏｎ  Ｍｕｌｔｉｐｌｅ  Ａｃｃｅｓｓ、符号分割多重接続）、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ、広帯域符号分割多重接続）、高速アップリンクパケットアクセス（Ｈｉｇｈ  Ｓｐｅｅｄ  Ｕｐｌｉｎｋ  Ｐａｃｋｅｔ  Ａｃｃｅｓｓ、ＨＳＵＰＡ）技術、ＬＴＥ（Ｌｏｎｇ  Ｔｅｒｍ  Ｅｖｏｌｕｔｉｏｎ、ロングタームエボリューション）、電子メール、ＳＭＳ（Ｓｈｏｒｔ  Ｍｅｓｓａｇｉｎｇ  Ｓｅｒｖｉｃｅ、ショートメッセージングサービス）などを含む。
【０１６６】
本発明の特定の実装プロセスにおいて、第１の実装態様では、送受信機５０６は少なくとも１つのコンテンツソースのコンテンツ情報を取得するよう構成されてよく、少なくとも１つのコンテンツソースは端末に格納された少なくとも２つのアカウント情報に対応し、プロセッサ５０２は、コンテンツ情報をコンテンツ表示情報に統合するよう構成されてよい。
【０１６７】
任意で、送受信機５０６は具体的には、少なくとも２つのアカウント情報と当該少なくとも２つのアカウント情報に対応するコンテンツソースのアドレス情報とを受信し、少なくとも２つのアカウント情報とアドレス情報とはプロセッサ５０２によって取得され、少なくとも２つのアカウント情報と当該少なくとも２つのアカウント情報に対応するコンテンツソースのアドレス情報とに従って、第１の取得要求をコンテンツソースに送信し、第１の取得要求に従ってコンテンツソースによって送信されたコンテンツ情報を受信するよう構成されてよい。
【０１６８】
任意で、送受信機５０６は具体的には、第２の取得要求をサーバに送信し、第２の取得要求に従って少なくとも２つのアカウント情報に対応するコンテンツソースからサーバによって取得されるコンテンツ情報を受信するよう構成されてよい。
【０１６９】
第２の実装態様において、送受信機５０６は、少なくとも１つのコンテンツソースのコンテンツ情報を取得すべく、取得要求をサーバに送信するよう構成されてよく、少なくとも１つのコンテンツソースは端末に格納された少なくとも２つのアカウント情報に対応し、送受信機５０６は、取得要求に従ってサーバにより送信されたコンテンツ表示情報を受信するようさらに構成されてよく、コンテンツ表示情報は、少なくとも２つのアカウント情報に対応するコンテンツソースから取得されたコンテンツ情報をサーバが統合することで取得され、プロセッサ５０２は、受信したコンテンツ表示情報を解析するよう構成されてよい。
【０１７０】
特定の実装プロセスにおいて、プロセッサ５０２は、表示するためにコンテンツ表示情報を表示画面５０８に出力するようさらに構成される。
【０１７１】
表示画面５０８は、テキスト、写真、及び／又はビデオを出力するよう構成される。表示画面は表示パネルを含んでよく、例えば、ＬＣＤ（Ｌｉｑｕｉｄ  Ｃｒｙｓｔａｌ  Ｄｉｓｐｌａｙ、液晶ディスプレイ）、ＯＬＥＤ（Ｏｒｇａｎｉｃ  Ｌｉｇｈｔ−Ｅｍｉｔｔｉｎｇ  Ｄｉｏｄｅ、有機発光ダイオード）、電界放出ディスプレイ（ｆｉｅｌｄ  ｅｍｉｓｓｉｏｎ  ｄｉｓｐｌａｙ、略してＦＥＤ）などの形態で構成される表示パネルである。代替的に、表示画面は、電気泳動（ｅｌｅｃｔｒｏｐｈｏｒｅｔｉｃ）ディスプレイなどの反射型ディスプレイ、又は光干渉変調（Ｉｎｔｅｒｆｅｒｏｍｅｔｒｉｃ  Ｍｏｄｕｌａｔｉｏｎ  ｏｆ  Ｌｉｇｈｔ）の技術を用いるディスプレイを含んでよい。表示画面は、単一のディスプレイ、又は異なるサイズの複数のディスプレイを含んでよい。
【０１７２】
本発明の特定の実装プロセスにおいて、表示画面５０８は、コンテンツ表示情報を表示するよう構成されてよい。
【０１７３】
任意で、一実装態様において、プロセッサ５０２がコンテンツ情報をコンテンツ表示情報に統合するよう構成されることは、具体的には、コンテンツ情報をルールに従って非構造化データ形式から構造化データ形式に変換することと、コンテンツ表示情報を取得すべく、構造化データ形式のコンテンツ情報を分類することを含んでよい。
【０１７４】
任意で、別の実装態様において、プロセッサ５０２がコンテンツ情報をコンテンツ表示情報に統合するよう構成されることは、具体的には、コンテンツ情報を分類することと、コンテンツ表示情報を取得すべく、分類されたコンテンツ情報をルールに従って非構造化データ形式から構造化データ形式に変換することを含んでよい。
【０１７５】
本発明のこの実施形態において、端末は入力部をさらに含んでよい。入力部は、ユーザと端末との間のインタラクションを実施する、及び／又は情報を端末に入力するよう構成される。例えば、ユーザ設定又は機能制御に関連した信号入力を生成するために、入力部はユーザによって入力される数字又は文字の情報を受信してよい。本発明の特定の実装態様において、入力部はタッチパネルであってよく、又は物理入力キー及びマイクなどの別のヒューマン・マシン・インタラクション・インタフェースであってもよく、又はカメラなどの別の外部情報キャプチャ装置であってもよい。タッチパネルはまた、タッチスクリーン又はタッチ制御画面と呼ばれ、タッチパネル上でユーザにより実行されるタッチ又は近づくという操作行為を収集し得る。例えば、操作行為は、指又はスタイラスなどの任意の適切な物体又は付属品を用いて、タッチパネル上又はタッチパネルに近い位置でユーザにより実行され、対応する接続装置が予め設定されたプログラムに従って動く。本発明の別の実装態様において、入力部によって用いられる物理入力キーは、限定されないが、物理キーボード、ファンクションボタン（音量調節ボタン、又はスイッチボタンなど）、トラックボール、マウス、ジョイスティックなどのうち１つ又は複数を含んでよい。マイク形式の入力部は、ユーザ又は周囲の環境によって入力される音声を収集し得、プロセッサ５０２によって実行され得る電気信号形式のコマンドに音声を変換する。本発明の特定の実装態様において、入力部によって用いられるタッチパネルはまた、同時に表示画面の表示パネルとして用いられてよい。例えば、タッチパネル上で実行されるタッチ又は近づくというジェスチャ操作を検出した後に、タッチイベントのタイプを判断すべく、タッチパネルはジェスチャ操作をプロセッサ５０２に送信し、その後、プロセッサはタッチイベントのタイプに従って対応する視覚出力を表示パネル上に提供する。入力部及び表示画面５０８は、端末の入出力機能を実装する２つの独立した部分として機能を果たすが、いくつか実施形態において、タッチパネル及び表示パネルは端末の入出力機能を実装するよう統合されてよい。例えば、表示画面は、様々なグラフィカルユーザインタフェース（Ｇｒａｐｈｉｃａｌ  Ｕｓｅｒ  Ｉｎｔｅｒｆａｃｅ、略してＧＵＩ）を仮想制御要素として表示してよく、これらは限定されないが、ウィンドウ、スクロールバー、アイコン、及びスクラップブックを含み、これにより、ユーザはタッチ形式で操作を実行する。
【０１７６】
本発明の特定の実装プロセスにおいて、入力部は具体的には、ユーザの操作を検出するよう構成され、ユーザの操作を検出することは、ユーザが情報集約アプリケーションを開始したことを検出することを含む。例えば、ユーザが情報集約アプリケーションに対応するアイコンに触れた、又は情報集約アプリケーションに対応するショートカットキーを押したことが検出される。情報集約アプリケーションを開始する方法は、本発明のこの実施形態において限定されるものではない。ユーザの操作を検出することは、ユーザがコンテンツ表示情報を見るべく更新ボタンに触れたことなどを検出することをさらに含んでよい。入力部は、ユーザと端末との間のインタラクションの全ての操作を検出するようさらに構成され、例えば、ユーザがシステムアカウントを登録した又はシステムアカウントにログインしたことを検出する、あるいはユーザがアプリケーションの分類を設定したことを検出する。アプリケーションの分類は、ユーザ定義の分類であってよく、又はアプリケーションに設定されているいくつかの分類を選択することであってもよい。任意で、分類のタイプは、ユーザ識別子に基づく分類、サービスタイプに基づく分類、コンテンツソースに基づく分類などのうち１つ又はこれらの組み合わせを含んでよい。分類は実施形態１に詳細に説明されており、詳細はここで説明されない。
【０１７７】
図５に示される端末５００は、プロセッサ５０２、メモリ５０４、送受信機５０６、表示画面５０８、及びバス５１０だけを示しているが、特定の実装プロセスにおいて、端末５００は通常の起動を実施するのに必要となる別の構成要素をさらに含むことを、当業者は理解しなければならないことに注意すべきである。さらに、特定の要件に従って、端末５００は別の追加の機能を実装するハードウェアコンポーネントをさらに含んでよいことを、当業者は理解しなければならない。さらに、端末５００はまた、図５に示される全ての構成要素を含む必要がなく、本発明のこの実施形態を実施するのに必要となる構成要素だけを含んでよいことを、当業者は理解しなければならない。
【０１７８】
図５に示されるハードウェア構造及び上述の説明は、本発明のこの実施形態において提供される様々な情報表示端末デバイスに適用可能である。上述の方法の段階の全て又は一部は、関連するハードウェアに命令するプログラムによって実行され得ることを、当業者は理解し得る。プログラムは、コンピュータ可読記憶媒体に格納されてよい。コンピュータ可読記憶媒体は、ＲＯＭ、ＲＡＭ、光ディスクなどを含む。
【０１７９】
図６は、本発明の実施形態６による端末のハードウェアの概略構造図である。図６に示されるように、サーバ６００は、プロセッサ６０２と、メモリ６０４と、送受信機６０６と、バス６０８とを含む。プロセッサ６０２と、メモリ６０４と、送受信機６０６とは、バス６０８を用いて通信を実行する。
【０１８０】
サーバは、実施形態１、実施形態２、及び実施形態３において、サーバによって実行される方法を実行するよう構成されてよい。本発明に開示される方法の実施形態のサーバに関連する全ての内容及び効果は、この実施形態におけるサーバを用いて実装されてよい。従って、方法の実施形態の全ての内容及び効果は、この実施形態に適用可能である。
【０１８１】
メモリ６０４は、ソフトウェアプログラム及びモジュールを格納するよう構成され得る。メモリ６０４に格納されているソフトウェアプログラム及びモジュールを起動させることで、プロセッサ６０２はサーバの様々な機能アプリケーションを実行し、データ処理を実施する。メモリ６０４は主にプログラム記憶領域とデータ記憶領域とを含み、プログラム記憶領域は、オペレーティングシステムと、音声再生プログラム又は映像再生プログラムなど、少なくとも１つ機能によって必要とされるアプリケーションプログラムとを格納し得る。データ記憶領域は、サーバの使用に従って生成されるデータ（オーディオデータ又は電話帳など）などを格納し得る。本発明の特定の実装態様において、メモリ６０４は揮発性メモリ、例えば、不揮発性ランダム・アクセス・メモリ（Ｎｏｎｖｏｌａｔｉｌｅ  Ｒａｎｄｏｍ  Ａｃｃｅｓｓ  Ｍｅｍｏｒｙ、略してＮＶＲＡＭ）、相変化ＲＡＭ（Ｐｈａｓｅ  Ｃｈａｎｇｅ  ＲＡＭ、略してＰＲＡＭ）、又は磁気抵抗ＲＡＭ（Ｍａｇｅｔｏｒｅｓｉｓｔｉｖｅ  ＲＡＭ、略してＭＲＡＭ）などを含んでよく、あるいは不揮発性メモリ、例えば、少なくとも１つの磁気ディスクストレージデバイス、電気的消去可能プログラマブル・リード・オンリ・メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略してＥＥＰＲＯＭ）、又はフラッシュストレージデバイスなど、例えば、ＮＯＲ型フラッシュメモリ（ＮＯＲ  ｆｌａｓｈ  ｍｅｍｏｒｙ）、ＮＡＮＤ型フラッシュメモリ（ＮＡＮＤ  ｆｌａｓｈ  ｍｅｍｏｒｙ）などを含んでよい。不揮発性メモリは、プロセッサ６０２によって実行されるオペレーティングシステム及びアプリケーションプログラムを格納する。プロセッサ６０２は、不揮発性メモリから、起動プログラム及びデータをメモリにロードし、デジタルコンテンツを大容量記憶装置に格納する。オペレーティングシステムは、様々なコンポーネント及び／又はドライバを含み、これらは、通常のシステムタスク、例えば、メモリ管理、ストレージデバイス制御、又は電力管理などを制御、管理し、様々なソフトウェアとハードウェアとの間の通信を容易にするよう構成される。本発明のこの実装態様において、オペレーティングシステムは、Ｇｏｏｇｌｅのアンドロイドシステム、Ａｐｐｌｅが開発したｉＯＳシステム、Ｍｉｃｒｏｓｏｆｔが開発したＷｉｎｄｏｗｓ（登録商標）オペレーティングシステムなどであってよく、又はＶｘＷｏｒｋｓなどの組み込みオペレーティングシステムであってもよい。
【０１８２】
プロセッサ６０２はサーバのコントロールセンタであり、様々なインタフェース及び配線を用いてサーバ全体の全てのパーツに接続されており、メモリ６０４に格納され且つメモリ６０４に格納されたデータを呼び出すソフトウェアプログラム及び／又はモジュールを起動又は実行することで、サーバの様々な機能及び／又はデータ処理を実行する。プロセッサ６０２は、集積回路（Ｉｎｔｅｇｒａｔｅｄ  Ｃｉｒｃｕｉｔ、略してＩＣ）を含み得、それは、例えば、シングルＩＣパッケージを含んでよく、又は、同じ機能又は異なる機能を有するマルチＩＣパッケージを含んでもよい。例えば、プロセッサ６０２は、中央処理装置（Ｃｅｎｔｒａｌ  Ｐｒｏｃｅｓｓｉｎｇ  Ｕｎｉｔ、略してＣＰＵ）だけを含んでよく、又はＧＰＵ、デジタル信号プロセッサ（Ｄｉｇｉｔａｌ  Ｓｉｇｎａｌ  Ｐｒｏｃｅｓｓｏｒ略してＤＳＰ）、及び送受信機６０６の制御チップ（ベースバンドチップなど）の組み合わせであってもよい。本発明のこの実装態様において、ＣＰＵは単一のコンピューティングコアであってよく、又は複数のコンピューティングコアを含んでもよい。
【０１８３】
送受信機６０６は通信チャネルを確立するよう構成され、これにより、サーバは通信チャネルを通じてリモートサーバ又は端末に接続され、メディアデータをリモートサーバからダウンロードする、又はメディアデータを端末に送信する。本発明の特定の実装プロセスにおいて、送受信機６０６は具体的には、プロセッサ６０２の命令に従って、コンテンツソースのコンテンツ情報をコンテンツソースから取得する、又は取得要求をサーバに送信してサーバの応答メッセージを受信するなどのように構成される。送受信機６０６は、通信モジュール、例えば、無線ローカルエリアネットワーク（Ｗｉｒｅｌｅｓｓ  Ｌｏｃａｌ  Ａｒｅａ  Ｎｅｔｗｏｒｋ、略して無線ＬＡＮ）モジュール、Ｂｌｕｅｔｏｏｔｈ（登録商標）モジュール、又はベースバンド（Ｂａｓｅ  Ｂａｎｄ）モジュール、及び通信モジュールに対応する無線周波数（Ｒａｄｉｏ  Ｆｒｅｑｕｅｎｃｙ、略してＲＦ）回路などを含んでよく、無線ローカルエリアネットワーク通信、Ｂｌｕｅｔｏｏｔｈ（登録商標）通信、赤外線通信、及び／又はセルラー方式通信、例えば、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷ−ＣＤＭＡ（登録商標））及び／又は高速ダウンリンクパケットアクセス（Ｈｉｇｈ  Ｓｐｅｅｄ  Ｄｏｗｎｌｉｎｋ  Ｐａｃｋｅｔ  Ａｃｃｅｓｓ、略してＨＳＤＰＡ）などを実行するよう構成される。通信モジュールは、サーバの構成要素間の通信を制御するよう構成され、ダイレクトメモリアクセス（Ｄｉｒｅｃｔ  Ｍｅｍｏｒｙ  Ａｃｃｅｓｓ）をサポートし得る。
【０１８４】
無線周波数回路は、情報を送受信する、又は通話中に信号を送受信するよう構成される。例えば、基地局のダウンリンク情報が受信された後に、プロセッサ６０２はダウンリンク情報を処理し、さらに意図したアップリンクデータが基地局に送信される。一般的に、無線周波数回路はこれらの機能を実行するのに用いられる周知の回路を含み、それには、限定されないが、アンテナシステム、無線周波数送受信機、１つ又は複数の増幅器、チューナ、１つ又は複数の発振器、デジタル信号プロセッサ、コーデック（Ｃｏｄｅｃ）チップセット、加入者識別モジュール（ＳＩＭ）カード、メモリなどが含まれる。さらに、無線周波数回路は、無線通信によってネットワーク及び別のデバイスとさらに通信し得る。無線通信は任意の通信規格又はプロトコルを用いてよく、それらは限定されないが、ＧＳＭ（登録商標）（Ｇｌｏｂａｌ  Ｓｙｓｔｅｍ  ｏｆ  Ｍｏｂｉｌｅ  ｃｏｍｍｕｎｉｃａｔｉｏｎ、移動体通信用グローバルシステム）、ＧＰＲＳ（Ｇｅｎｅｒａｌ  Ｐａｃｋｅｔ  Ｒａｄｉｏ  Ｓｅｒｖｉｃｅ、汎用パケット無線サービス）、ＣＤＭＡ（Ｃｏｄｅ  Ｄｉｖｉｓｉｏｎ  Ｍｕｌｔｉｐｌｅ  Ａｃｃｅｓｓ、符号分割多重接続）、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ、広帯域符号分割多重接続）、高速アップリンクパケットアクセス（Ｈｉｇｈ  Ｓｐｅｅｄ  Ｕｐｌｉｎｋ  Ｐａｃｋｅｔ  Ａｃｃｅｓｓ、ＨＳＵＰＡ）技術、ＬＴＥ（Ｌｏｎｇ  Ｔｅｒｍ  Ｅｖｏｌｕｔｉｏｎ、ロングタームエボリューション）、電子メール、ＳＭＳ（Ｓｈｏｒｔ  Ｍｅｓｓａｇｉｎｇ  Ｓｅｒｖｉｃｅ、ショートメッセージングサービス）などを含む。
【０１８５】
本発明の特定の実装プロセスにおいて、第１の実装態様では、任意で、プロセッサ６０２は、少なくとも２つのアカウント情報と当該少なくとも２つのアカウント情報に対応するコンテンツソースのアドレス情報とを取得するよう構成されてよく、少なくとも２つのアカウント情報は少なくとも１つのコンテンツソースに対応し、送受信機６０６は、少なくとも２つのアカウント情報と当該少なくとも２つのアカウント情報に対応するコンテンツソースのアドレス情報とに従って、少なくとも２つのアカウント情報に対応するコンテンツソースからコンテンツ情報を取得するよう構成されてよく、プロセッサ６０２は、コンテンツ情報をコンテンツ表示メッセージに統合するようさらに構成され、送受信機６０６は、表示するためにコンテンツ表示情報を端末に送信するようさらに構成される。
【０１８６】
任意で、プロセッサ６０２がコンテンツ情報をコンテンツ表示情報に統合するよう構成されることは、具体的には、コンテンツ情報をルールに従って非構造化データ形式から構造化データ形式に変換することと、構造化データ形式のコンテンツ情報を分類し、構造化データ形式の分類されたコンテンツ情報、すなわちコンテンツ表示情報を取得することを含む。
【０１８７】
任意で、プロセッサ６０２がコンテンツ情報をコンテンツ表示情報に統合するよう構成されることは、具体的には、コンテンツ情報を分類することと、分類されたコンテンツ情報をルールに従って非構造化データ形式から構造化データ形式に変換し、構造化データ形式の分類されたコンテンツ情報、すなわちコンテンツ表示情報を取得することを含む。
【０１８８】
第２の実装態様において、任意で、プロセッサ６０２は、少なくとも２つのアカウント情報と当該少なくとも２つのアカウント情報に対応するコンテンツソースのアドレス情報とを取得するよう構成されてよく、少なくとも２つのアカウント情報は少なくとも１つのコンテンツソースに対応し、送受信機６０６は、少なくとも２つのアカウント情報と当該少なくとも２つのアカウント情報に対応するコンテンツソースのアドレス情報とに従って、少なくとも２つのアカウント情報に対応するコンテンツソースからコンテンツ情報を取得するよう構成されてよく、送受信機６０６は、表示するためにコンテンツ表示情報を端末に送信するようさらに構成される。
【０１８９】
図６に示されるサーバ６００は、プロセッサ６０２、メモリ６０４、送受信機６０６、及びバス６０８だけを示しているが、特定の実装プロセスにおいて、サーバ６００は通常の起動を実施するのに必要となる別の構成要素をさらに含むことを、当業者は理解しなければならないことに注意すべきである。さらに、特定の要件に従って、サーバ６００は別の追加の機能を実装するハードウェアコンポーネントをさらに含んでよいことを、当業者は理解しなければならない。さらに、サーバ６００はまた、図６に示される全ての構成要素を含む必要がなく、本発明のこの実施形態を実施するのに必要となる構成要素だけを含んでよいことを、当業者は理解しなければならない。
【０１９０】
上述の方法の段階の全て又は一部は、関連するハードウェアに命令するプログラムによって実行され得ることを、当業者は理解し得る。プログラムは、コンピュータ可読記憶媒体に格納されてよい。コンピュータ可読記憶媒体は、ＲＯＭ、ＲＡＭ、光ディスクなどを含む。
【０１９１】
本明細書に開示される実施形態で説明される複数の例と組み合わせて、ユニット及びアルゴリズムの段階が、電子的ハードウェア、又はコンピュータソフトウェアと電子的ハードウェアとの組み合わせによって実装され得ることを、当業者は知っているであろう。機能がハードウェアによって実行されるか、又はソフトウェアによって実行されるかは、特定の用途と技術的解決手段の設計制約条件とに依存する。当業者は、説明される機能をそれぞれの特定の用途に実装するのに異なる方法を用いてよいが、その実装が本発明の範囲を越えるものとみなされるべきではない。
【０１９２】
上述の説明は、単に本発明の特定の実装態様に過ぎず、本発明の保護範囲を限定することを意図するものではない。本発明において開示される技術範囲内で当業者によって容易に考え出されるあらゆる変形又は置換は、本発明の保護範囲内に含まれることになる。従って、本発明の保護範囲は、特許請求の範囲の保護範囲に従うことになる。
（項目１）
情報表示方法であって、
少なくとも１つのコンテンツソースのコンテンツ情報を端末が取得する段階であって、上記少なくとも１つのコンテンツソースは上記端末に格納された少なくとも２つのアカウント情報に対応する、段階と、
上記コンテンツ情報をコンテンツ表示情報に上記端末が統合する段階と、
上記コンテンツ表示情報を上記端末が表示する段階と
を備える
方法。
（項目２）
上記コンテンツ情報をコンテンツ表示情報に統合する上記段階は、
上記コンテンツ情報をルールに従って非構造化データ形式から構造化データ形式に変換する段階と、
上記構造化データ形式の上記コンテンツ情報を分類して、上記構造化データ形式の上記分類されたコンテンツ情報、すなわち上記コンテンツ表示情報を取得する段階と
を有する、
項目１に記載の方法。
（項目３）
上記コンテンツ情報をコンテンツ表示情報に統合する上記段階は、
上記コンテンツ情報を分類する段階と、
上記分類されたコンテンツ情報をルールに従って非構造化データ形式から構造化データ形式に変換し、上記構造化データ形式の上記分類されたコンテンツ情報、すなわち上記コンテンツ表示情報を取得する段階と
を有する、
項目１に記載の方法。
（項目４）
上記構造化データ形式の上記分類されたコンテンツ情報における分類タイプは、ユーザ識別子、サービスタイプ、又はコンテンツソースのうち１つ又は複数を含む、
項目２又は３に記載の方法。
（項目５）
上記コンテンツ表示情報を表示する上記段階は、上記コンテンツ表示情報の更新時間に従って上記コンテンツ表示情報を逆順序で表示する段階を有する、
項目２から４のいずれか一項に記載の方法。
（項目６）
少なくとも１つのコンテンツソースのコンテンツ情報を端末が取得する上記段階は、
上記少なくとも２つのアカウント情報と上記少なくとも２つのアカウント情報に対応する上記コンテンツソースのアドレス情報とを上記端末が取得する段階と、
上記少なくとも２つのアカウント情報と上記少なくとも２つのアカウント情報に対応する上記コンテンツソースの上記アドレス情報とに従って第１の取得要求を上記コンテンツソースに上記端末が送信する段階と、
上記第１の取得要求に従って上記コンテンツソースにより送信された上記コンテンツ情報を上記端末が受信する段階と
を有する
項目１から５のいずれか一項に記載の方法。
（項目７）
少なくとも１つのコンテンツソースのコンテンツ情報を端末が取得する上記段階は、
第２の取得要求をサーバに上記端末が送信する段階と、
上記第２の取得要求に従って、上記少なくとも２つのアカウント情報に対応する上記コンテンツソースから上記サーバによって取得される上記コンテンツ情報を上記端末が受信する段階と
を有する、
項目１から５のいずれか一項に記載の方法。
（項目８）
情報表示方法であって、
少なくとも１つのコンテンツソースのコンテンツ情報を取得すべく取得要求を端末がサーバに送信する段階であって、上記少なくとも１つのコンテンツソースは上記端末に格納された少なくとも２つのアカウント情報に対応する、段階と、
上記取得要求に従って上記サーバによって送信されたコンテンツ表示情報を上記端末が受信する段階であって、上記コンテンツ表示情報は、上記少なくとも２つのアカウント情報に対応する上記コンテンツソースから取得される上記コンテンツ情報を上記サーバが統合することで取得される、段階と、
上記コンテンツ表示情報を上記端末が表示する段階と
を備える
方法。
（項目９）
上記コンテンツ表示情報は、構造化データ形式の分類されたコンテンツ情報である、
項目８に記載の方法。
（項目１０）
上記分類タイプは、ユーザ識別子、サービスタイプ、又はコンテンツソースのうち１つ又は複数を含む、
項目９に記載の方法。
（項目１１）
上記コンテンツ表示情報を表示する上記段階は、上記コンテンツ表示情報の更新時間に従って上記コンテンツ表示情報を逆順序で表示する段階を有する、
項目８から１０のいずれか一項に記載の方法。
（項目１２）
情報表示方法であって、
少なくとも２つのアカウント情報と上記少なくとも２つのアカウント情報に対応するコンテンツソースのアドレス情報とをサーバが取得する段階であって、上記少なくとも２つのアカウント情報は少なくとも１つのコンテンツソースに対応する、段階と、
上記少なくとも２つのアカウント情報と上記少なくとも２つのアカウント情報に対応する上記コンテンツソースの上記アドレス情報とに従って、上記少なくとも２つのアカウント情報に対応する上記コンテンツソースからコンテンツ情報を上記サーバが取得する段階と、
上記コンテンツ情報をコンテンツ表示情報に上記サーバが統合する段階と、
表示するために上記コンテンツ表示情報を端末に上記サーバが送信する段階と
を備える
方法。
（項目１３）
上記コンテンツ情報をコンテンツ表示情報に統合する上記段階は、
上記コンテンツ情報をルールに従って非構造化データ形式から構造化データ形式に変換する段階と、
上記構造化データ形式の上記コンテンツ情報を分類して、上記構造化データ形式の上記分類されたコンテンツ情報、すなわち上記コンテンツ表示情報を取得する段階と
を有する、
項目１２に記載の方法。
（項目１４）
上記コンテンツ情報をコンテンツ表示情報に統合する上記段階は、
上記コンテンツ情報を分類する段階と、
上記分類されたコンテンツ情報をルールに従って非構造化データ形式から構造化データ形式に変換して、上記構造化データ形式の上記分類されたコンテンツ情報、すなわち上記コンテンツ表示情報を取得する段階と
を有する、
項目１２に記載の方法。
（項目１５）
少なくとも２つのアカウント情報と上記少なくとも２つのアカウント情報に対応する上記コンテンツソースのアドレス情報とを取得する上記段階の前に、上記端末によって送信された取得要求を上記サーバが受信する段階をさらに備え、
上記取得要求は、上記コンテンツソースの上記コンテンツ情報を取得するよう上記サーバに命令するのに用いられる、
項目１２から１４のいずれか一項に記載の方法。
（項目１６）
情報表示の端末であって、
少なくとも１つのコンテンツソースのコンテンツ情報を取得するよう構成された収集モジュールであって、上記少なくとも１つのコンテンツソースは上記端末に格納された少なくとも２つのアカウント情報に対応する、収集モジュールと、
上記コンテンツ情報をコンテンツ表示情報に統合するよう構成された統合モジュールと、
上記コンテンツ表示情報を表示するよう構成された表示モジュールと
を備える
端末。
（項目１７）
上記統合モジュールは、
上記収集モジュールによって取得された上記コンテンツ情報をルールに従って非構造化データ形式から構造化データ形式に変換するよう構成された変換モジュールと、
上記構造化データ形式の上記コンテンツ情報を分類して、上記構造化データ形式の上記分類されたコンテンツ情報、すなわち上記コンテンツ表示情報を取得するよう構成された分類モジュールと
を有する、
項目１６に記載の端末。
（項目１８）
上記統合モジュールは、
上記収集モジュールによって取得された上記コンテンツ情報を分類するよう構成された分類モジュールと、
上記分類されたコンテンツ情報をルールに従って非構造化データ形式から構造化データ形式に変換して、上記構造化データ形式の上記分類されたコンテンツ情報、すなわち上記コンテンツ表示情報を取得するよう構成された変換モジュールと
を有する、
項目１６に記載の端末。
（項目１９）
情報表示の端末であって、
少なくとも１つのコンテンツソースのコンテンツ情報を取得すべく取得要求をサーバに送信するよう構成された送信モジュールであって、上記少なくとも１つのコンテンツソースは上記端末に格納された少なくとも２つのアカウント情報に対応する、送信モジュールと、
上記取得要求に従って上記サーバによって送信されたコンテンツ表示情報を受信するよう構成された受信モジュールであって、上記コンテンツ表示情報は、上記少なくとも２つのアカウント情報に対応する上記コンテンツソースから取得される上記コンテンツ情報を上記サーバが統合することによって取得される、受信モジュールと、
上記コンテンツ表示情報を表示するよう構成された表示モジュールと
を備える
端末。
（項目２０）
上記コンテンツ表示情報は、構造化データ形式の分類されたコンテンツ情報である、
項目１９に記載の端末。
（項目２１）
上記分類タイプは、ユーザ識別子、サービスタイプ、又はコンテンツソースのうち１つ又は複数を含む、
項目２０に記載の端末。
（項目２２）
情報表示のサーバであって、
少なくとも２つのアカウント情報と上記少なくとも２つのアカウント情報に対応するコンテンツソースのアドレス情報とを取得するよう構成された取得モジュールであって、上記少なくとも２つのアカウント情報は少なくとも１つのコンテンツソースに対応する、取得モジュールと、
上記少なくとも２つのアカウント情報と上記少なくとも２つのアカウント情報に対応する上記コンテンツソースの上記アドレス情報とに従って、上記少なくとも２つのアカウント情報に対応する上記コンテンツソースからコンテンツ情報を取得するよう構成された収集モジュールと、
上記コンテンツ情報をコンテンツ表示情報に統合するよう構成された統合モジュールと、
表示するために上記コンテンツ表示情報を端末に送信するよう構成された送信モジュールと
を備える
サーバ。
（項目２３）
上記統合モジュールは、
上記収集モジュールによって取得された上記コンテンツ情報をルールに従って非構造化データ形式から構造化データ形式に変換するよう構成された変換モジュールと、
上記構造化データ形式の上記コンテンツ情報を分類して、上記構造化データ形式の上記分類されたコンテンツ情報、すなわち上記コンテンツ表示情報を取得するよう構成された分類モジュールと
を有する、
項目２２に記載のサーバ。
（項目２４）
上記統合モジュールは、
上記収集モジュールによって取得された上記コンテンツ情報を分類するよう構成された分類モジュールと、
上記分類されたコンテンツ情報をルールに従って非構造化データ形式から構造化データ形式に変換して、上記構造化データ形式の上記分類されたコンテンツ情報、すなわち上記コンテンツ表示情報を取得するよう構成された変換モジュールと
を有する、
項目２２に記載のサーバ。
（項目２５）
情報表示の端末であって、
プロセッサ、メモリ、表示画面、及び送受信機を含み、
上記プロセッサ、上記メモリ、上記表示画面、及び上記送受信機はバスを用いて通信を実行し、
上記送受信機は少なくとも１つのコンテンツソースのコンテンツ情報を取得するよう構成され、上記少なくとも１つのコンテンツソースは上記端末に格納された少なくとも２つのアカウント情報に対応し、
上記プロセッサは上記コンテンツ情報をコンテンツ表示情報に統合するよう構成され、
上記表示画面は上記コンテンツ表示情報を表示するよう構成される、
端末。
（項目２６）
上記プロセッサは具体的には
上記コンテンツ情報をルールに従って非構造化データ形式から構造化データ形式に変換し、
上記構造化データ形式の上記コンテンツ情報を分類して、上記構造化データ形式の上記分類されたコンテンツ情報、すなわち上記コンテンツ表示情報を取得するよう構成される、
項目２５に記載の端末。
（項目２７）
上記プロセッサが上記コンテンツ情報をコンテンツ表示情報に統合するよう構成されることは、
上記コンテンツ情報を分類することと、
上記分類されたコンテンツ情報をルールに従って非構造化データ形式から構造化データ形式に変換して、上記構造化データ形式の上記分類されたコンテンツ情報、すなわち上記コンテンツ表示情報を取得することと
を含む、
項目２５に記載の端末。
（項目２８）
上記構造化データ形式の上記分類されたコンテンツ情報の分類タイプは、ユーザ識別子分類、サービスタイプ分類、又はコンテンツソース分類のうち１つ又は複数を含む、
項目２６又は２７に記載の端末。
（項目２９）
少なくとも１つのコンテンツソースのコンテンツ情報を上記取得することは、
上記少なくとも２つのアカウント情報と上記少なくとも２つのアカウント情報に対応する上記コンテンツソースのアドレス情報とを上記プロセッサが取得することと、
上記少なくとも２つのアカウント情報と上記少なくとも２つのアカウント情報に対応する上記コンテンツソースの上記アドレス情報とに従って、上記送受信機が第１の取得要求を上記コンテンツソースに送信することと、
上記第１の取得要求に従って上記コンテンツソースによって送信された上記コンテンツ情報を上記送受信機が受信することと
を有する、
項目２５から２８のいずれか一項に記載の端末。
（項目３０）
少なくとも１つのコンテンツソースのコンテンツ情報を上記取得することは、
第２の取得要求をサーバに上記送受信機が送信することと、
上記第２の取得要求に従って、上記少なくとも２つのアカウント情報に対応する上記コンテンツソースから上記サーバによって取得される上記コンテンツ情報を上記送受信機が受信することと
を有する、
項目２５から２８のいずれか一項に記載の端末。
（項目３１）
情報表示の端末であって、
プロセッサ、メモリ、表示画面、及び送受信機を含み、
上記プロセッサ、上記メモリ、上記表示画面、及び上記送受信機はバスを用いて通信を実行し、
上記送受信機は少なくとも１つのコンテンツソースのコンテンツ情報を取得すべく取得要求をサーバに送信するよう構成され、上記コンテンツソースは上記端末に格納された少なくとも２つのアカウント情報に対応し、
上記送受信機は上記取得要求に従って上記サーバによって送信されたコンテンツ表示情報を受信するようさらに構成され、上記コンテンツ表示情報は、上記少なくとも２つのアカウント情報に対応する上記コンテンツソースから取得される上記コンテンツ情報を上記サーバが統合することによって取得され、
上記プロセッサは、上記受信したコンテンツ表示情報を解析するよう構成され、
上記表示画面は上記コンテンツ表示情報を表示するよう構成される
端末。
（項目３２）
上記コンテンツ表示情報は、構造化データ形式の分類されたコンテンツ情報である、
項目３１に記載の端末。
（項目３３）
上記分類タイプは、ユーザ識別子、サービスタイプ、又はコンテンツソースのうち１つ又は複数を含む、
項目３２に記載の端末。
（項目３４）
情報表示のサーバであって、
プロセッサ、メモリ、表示画面、及び送受信機を含み、上記プロセッサ、上記メモリ、上記表示画面、及び上記送受信機はバスを用いて通信を実行し、
上記プロセッサは、少なくとも２つのアカウント情報と上記少なくとも２つのアカウント情報に対応するコンテンツソースのアドレス情報とを取得するよう構成され、上記少なくとも２つのアカウント情報は少なくとも１つのコンテンツソースに対応し、
上記送受信機は、上記少なくとも２つのアカウント情報と上記少なくとも２つのアカウント情報に対応する上記コンテンツソースの上記アドレス情報とに従って、上記少なくとも２つのアカウント情報に対応する上記コンテンツソースからコンテンツ情報を取得するよう構成され、
上記プロセッサは、上記コンテンツ情報をコンテンツ表示メッセージに統合するようさらに構成され、
上記送受信機は、表示するために上記コンテンツ表示情報を端末に送信するようさらに構成される、
サーバ。
（項目３５）
上記プロセッサは具体的には、
上記コンテンツ情報をルールに従って非構造化データ形式から構造化データ形式に変換し、
上記構造化データ形式の上記コンテンツ情報を分類して、上記構造化データ形式の上記分類されたコンテンツ情報、すなわち上記コンテンツ表示情報を取得するよう構成される、
項目３４に記載のサーバ。
（項目３６）
上記プロセッサは具体的には、
上記コンテンツ情報を分類し、
上記分類されたコンテンツ情報をルールに従って非構造化データ形式から構造化データ形式に変換して、上記構造化データ形式の上記分類されたコンテンツ情報、すなわち上記コンテンツ表示情報を取得するよう構成される、
項目３４に記載のサーバ。
【図１】
0006544871.tif 000002
【図１ａ】
0006544871.tif 000003
【図１ｂ】
0006544871.tif 000004
【図２ａ】
0006544871.tif 000005
【図２ｂ】
0006544871.tif 000006
【図２ｃ】
0006544871.tif 000007
【図２ｄ】
0006544871.tif 000008
【図３】
0006544871.tif 000009
【図４ａ】
0006544871.tif 000010
【図４ｂ】
0006544871.tif 000011
【図５】
0006544871.tif 000012
【図６】
0006544871.tif 000013